(57)【要約】【課題】ＩｏＴ技術を用いて４世代（４Ｇ）システムより高いデータ速度をサポートする５世代（５Ｇ）通信システムを融合する通信方法及びシステムを提供する。【解決手段】本発明は、ユーザ装置（ＵＥ）に対するライトコネクション制御方法を提供し、その方法は、第１無線アクセスネットワークノードによってＵＥに対するライトコネクション情報を獲得する段階と、第１無線アクセスネットワークノードによって獲得されたライトコネクション情報を記憶する段階と、第１無線アクセスネットワークノードによって、ＵＥに対する獲得されたライトコネクション情報に基づいてＵＥのライトコネクション制御を行う段階と、を含む。本発明によって、シグナリングオーバーヘッドが減少でき、ＵＥアクセスネットワークの遅延が減少できる。【選択図】図２
2019515604.tif 000002
【特許請求の範囲】
【請求項１】
無線通信システムにおける端末機の方法であって、
第１基地局から、前記端末機がライトコネクションに入ることを示す情報、前記端末機の再開識別（ＩＤ）及びページング情報を含む制御メッセージを受信する段階と、
前記制御メッセージに基づいて前記端末機に対するコンテキストを記憶することによって前記ライトコネクションに入る段階と、
第２基地局から、前記端末機の前記再開ＩＤを含むページングメッセージを受信する段階と、
前記再開ＩＤに基づいて接続再開手続きを開始する段階と、を含み、
ページング情報はページング領域情報、及びページングサイクリング情報を含む、ことを特徴とする無線通信システムにおける端末機の方法。
【請求項２】
前記ページング領域情報はトラッキング領域又はセルアイデンティティーの少なくとも一つのリストを含み、
前記ページングサイクリング情報は不連続受信（ｄｉｓｃｏｎｔｉｎｕｏｕｓ  ｒｅｃｅｐｔｉｏｎ、ＤＲＸ）情報を含む、ことを特徴とする請求項１に記載の無線通信システムにおける端末機の方法。
【請求項３】
前記端末機が前記ページング領域情報に基づいて移動性領域を外れる場合、移動性領域の変更を通知する位置アップデートメッセージを前記第２基地局に送信する段階をさらに含む、ことを特徴とする請求項２に記載の無線通信システムにおける端末機の方法。
【請求項４】
前記端末機が前記ライトコネクションをサポートするかを示す能力情報を前記第１基地局に送信する段階をさらに含む、ことを特徴とする請求項１に記載の無線通信システムにおける端末機の方法。
【請求項５】
無線通信システムにおける第１基地局の方法であって、
端末機の再開ＩＤを含むページングメッセージを制御メッセージに基づいてライトコネクションに入る端末機に送信する段階を含み、
前記制御メッセージは前記端末機がライトコネクションに入ることを示す情報、前記端末機の再開識別（ＩＤ）、及びコアネットワークから第２基地局に送信されたライトコネクション補助メッセージに基づくページング情報を含み、
ページング情報はページング領域情報及びページングサイクリング情報を含む、ことを特徴とする無線通信システムにおける第１基地局の方法。
【請求項６】
前記ライトコネクション補助メッセージは初期コンテキストセットアップ、ＵＥコンテキスト修正、ダウンリンクＮＡＳリクエスト又はハンドオーバーリクエストのうちの少なくとも一つから獲得され、
前記ライトコネクション補助メッセージは前記端末機の識別子、前記端末機がライトコネクションを行うように許容するかに対する情報、前記端末機の移動性領域情報又はページング補助情報のうちの少なくとも一つを含む、ことを特徴とする請求項５に記載の無線通信システムにおける第１基地局の方法。
【請求項７】
前記ページング領域情報はトラッキング領域又はセルアイデンティティーの少なくとも一つのリストを含み、
前記ページングサイクリング情報は不連続受信（ＤＲＸ）情報を含む、ことを特徴とする請求項５に記載の無線通信システムにおける第１基地局の方法。
【請求項８】
前記第１基地局が前記ライトコネクションをサポートするかを示すシステム情報を前記端末機に送信する段階と、
前記端末機から、前記ページング領域情報に基づいて前記端末機が移動性領域を外れることを示す位置アップデートメッセージを受信する段階と、をさらに含む、ことを特徴とする請求項７に記載の無線通信システムにおける第１基地局の方法。
【請求項９】
無線通信システムにおける端末機であって、
信号を送受信するように構成された送受信機と、
制御機と、を含み、
前記制御機は、
第１基地局から、前記送受信機を介し、端末機がライトコネクションに入ることを示す情報、前記端末機の再開識別（ＩＤ）及びページング情報を含む制御メッセージを受信し、
前記制御メッセージに基づいて前記端末機に対するコンテキストを記憶することによって前記ライトコネクションに入り、
第２基地局から、前記送受信機を介し、前記端末機の前記再開ＩＤを含むページングメッセージを受信し、
前記再開ＩＤに基づいて接続再開手続きを開始するように構成され、
ページング情報はページング領域情報及びページングサイクリング情報を含む、ことを特徴とする無線通信システムにおける端末機。
【請求項１０】
前記ページング領域情報はトラッキング領域又はセルアイデンティティーの少なくとも一つのリストを含み、
前記ページングサイクリング情報は不連続受信（ＤＲＸ）情報を含む、ことを特徴とする請求項９に記載の無線通信システムにおける端末機。
【請求項１１】
前記制御機は、前記端末機が前記ページング領域情報に基づいて移動性領域を外れる場合、移動性領域の変更を通知する位置アップデートメッセージを前記送受信機を介して前記第２基地局に送信するようにさらに構成される、ことを特徴とする請求項１０に記載の無線通信システムにおける端末機。
【請求項１２】
前記制御機は前記端末機が前記ライトコネクションをサポートするかを示す能力情報を前記送受信機を介して前記第１基地局に送信するようにさらに構成される、ことを特徴とする請求項９に記載の無線通信システムにおける端末機。
【請求項１３】
無線通信システムにおける第１基地局であって、
信号を送受信するように構成された送受信機と、及び
制御機と、を含み、前記制御機は、
前記送受信機を介し、端末機の再開ＩＤを含むページングメッセージを制御メッセージに基づいてライトコネクションに入る端末機に送信するように構成され、
前記制御メッセージは、前記端末機がライトコネクションに入ることを示す情報、前記端末機の再開識別（ＩＤ）、及びコアネットワークから第２基地局に送信されたライトコネクション補助メッセージに基づくページング情報を含み、
ページング情報はページング領域情報及びページングサイクリング情報を含む、ことを特徴とする無線通信システムにおける第１基地局。
【請求項１４】
前記ライトコネクション補助メッセージは初期コンテキストセットアップ、ＵＥコンテキスト修正、ダウンリンクＮＡＳリクエスト又はハンドオーバーリクエストのうちの少なくとも一つから獲得され、
前記ライトコネクション補助メッセージは前記端末機の識別子、前記端末機が前記ライトコネクションを行うように許容するかに対する情報、前記端末機に対する移動性領域情報又はページング補助情報のうちの少なくとも一つを含む、ことを特徴とする請求項１３に記載の無線通信システムにおける第１基地局。
【請求項１５】
前記ページング領域情報はトラッキング領域又はセルアイデンティティーの少なくとも一つのリストを含み、
前記ページングサイクリング情報は不連続受信（ＤＲＸ）情報を含む、ことを特徴とする請求項１４の記載の無線通信システムにおける第１基地局。
【請求項１６】
前記制御機は、
前記送受信機を介し、前記第１基地局が前記ライトコネクションをサポートするかを示すシステム情報を前記端末機に送信し、
前記端末機から、前記送受信機を介し、前記ページング領域情報に基づいて前記端末機が移動性領域を外れることを示す位置アップデートメッセージを受信するようにさらに構成される、ことを特徴とする請求項１５に記載の無線通信システムにおける第１基地局。
【発明の詳細な説明】
【技術分野】
【０００１】
本発明は、移動通信の技術分野に係り、より詳しくは、ライトコネクション制御方法及び装置に関する。
【背景技術】
【０００２】
４Ｇ通信システムの配置以後に増加された無線データトラフィックに対するニーズを満たすため、改善された５Ｇ又はプレ−５Ｇ（ｐｒｅ−５Ｇ）通信システムを開発するための努力がなされている。５Ｇ又はプレ−５Ｇ通信システムは‘Ｂｅｙｏｎｄ  ４Ｇ  Ｎｅｔｗｏｒｋ’又は‘Ｐｏｓｔ  ＬＴＥ  Ｓｙｓｔｅｍ’とも言う。５Ｇ通信システムは、高周波（ｍｍＷａｖｅ）帯域、例えば、６０ＧＨｚ帯域で具現され、より高いデータ速度（ｄａｔａ  ｒａｔｅ）を達成できる。無線波（ｒａｄｉｏ  ｗａｖｅ）の電波損失を減らし、送信距離をふやすため、ビーム形成（ｂｅａｍｆｏｒｍｉｎｇ）、大量ＭＩＭＯ、ＦＤーＭＩＭＯ、アレイアンテナ、アナログビーム形成、大規模アンテナ技術は５Ｇ通信システムで重要である。さらに、５Ｇ通信システムにおいて、先端小型セル（ａｄｖａｎｃｅｄ  ｓｍａｌｌ  ｃｅｌｌ）、クラウド（ｃｌｏｕｄ）ＲＡＮ（Ｒａｄｉｏ  Ａｃｃｅｓｓ  Ｎｅｔｗｏｒｋ）、超高密度ネットワーク、Ｄ２Ｄ（ｄｅｖｉｃｅ−ｔｏ−ｄｅｖｉｃｅ）通信、無線バックホール（ｂａｃｋｈａｕｌ）、移動ネットワーク、協力通信、ＣｏＭＰ（Ｃｏｏｒｄｉｎａｔｅｄ  Ｍｕｌｔｉ−Ｐｏｉｎｔ）、受信端干渉除去などに基づいてシステムネットワーク改善のための開発が進行しつつある。５Ｇシステムにおいて、ＡＣＭ（ａｄｖａｎｃｅｄ  ｃｏｄｉｎｇ  ｍｏｄｕｌａｔｉｏｎ）としてハイブリッドＦＱＡＭ（ＦＳＫ  ａｎｄ  ＱＡＭ  Ｍｏｄｕｌａｔｉｏｎ）、及び先端アクセス技術としてＦＢＭＣ（ｆｉｌｔｅｒ  ｂａｎｋ  ｍｕｌｔｉ  ｃａｒｒｉｅｒ）、ＮＯＭＡ（ｎｏｎーｏｒｔｈｏｇｏｎａｌ  ｍｕｌｔｉｐｌｅ  ａｃｃｅｓｓ）及びＳＣＭＡ（ｓｐａｒｓｅ  ｃｏｄｅ  ｍｕｌｔｉｐｌｅ  ａｃｃｅｓｓ）が開発された。
【０００３】
人間が情報を生成して消費する人間中心の接続ネットワークであるインターネットは今の事物（Ｔｈｉｎｇｓ）のような分散したエンティティーが人間の介入無しに情報を取り交わして処理するＩｏＴ（Ｉｎｔｅｒｎｅｔ  ｏｆ  Ｔｈｉｎｇｓ）網に進化しつつある。クラウドサーバーとの接続を通じてＩｏＴ技術とビックデータ（Ｂｉｇ  ｄａｔａ）の処理技術の組み合わせであるＩｏＥ（Ｉｎｔｅｒｎｅｔ  ｏｆ  Ｅｖｅｒｙｔｈｉｎｇ）が現れている。‘‘センシング技術’’、‘‘有無線通信及びネットワークインフラ構造’’、‘‘サービスインターフェース技術’’及び‘‘保安技術’’のような技術要素がＩｏＴを具現するために求められ、センサネットワーク（ｓｅｎｓｏｒ  ｎｅｔｗｏｒｋ）、Ｍ２Ｍ（Ｍａｃｈｉｎｅ  ｔｏ  Ｍａｃｈｉｎｅ）通信、ＭＴＣ（Ｍａｃｈｉｎｅ  Ｔｙｐｅ  Ｃｏｍｍｕｎｉｃａｔｉｏｎ）などが最近研究されている。このようなＩｏＴ環境は接続された事物の間に生成されたデータを収集して分析することによって人間に新しい価値を創出する知能型インターネット技術サービスを提供できる。ＩｏＴは既存の情報技術（Ｉｎｆｏｒｍａｔｉｏｎ  Ｔｅｃｈｎｏｌｏｇｙ；ＩＴ）と多様な産業用アプリケーションの間の融合及び組合せを介してスマートホーム、スマートビルディング、スマートシティ、スマートカー又はコネクテッドカー（ｃｏｎｎｅｃｔｅｄ  ｃａｒ）、スマートグリド、ヘルスケア、スマート家電及び先端医療サービスを含む多様な分野に適用される。
【０００４】
これにより、５Ｇ通信システムをＩｏＴネットワークに適用するための多様な試みが行われた。例えば、センサーネットワーク、ＭＴＣ（Ｍａｃｈｉｎｅ  Ｔｙｐｅ  Ｃｏｍｍｕｎｉｃａｔｉｏｎ）及びＭ２Ｍ（Ｍａｃｈｉｎｅ−ｔｏ−Ｍａｃｈｉｎｅ）通信のような技術はビーム形成、ＭＩＭＯ及びアレイアンテナによって具現される。上述したビッグデータ処理技術としてのクラウドＲＡＮ（Ｒａｄｉｏ  Ａｃｃｅｓｓ  Ｎｅｔｗｏｒｋ）の適用はさらに５Ｇ技術とＩｏＴ技術の間の融合の一例として見なされる。
【０００５】
現代の移動通信は漸次的に高速送信のマルチメディアサービスをユーザに提供する。図１は、ＳＡＥ（ｓｙｓｔｅｍ  ａｒｃｈｉｔｅｃｔｕｒｅ  ｅｖｏｌｕｔｉｏｎ）のアーキテクチャーダイヤグラムである。
ここで、ユーザ装置（Ｕｓｅｒ  Ｅｑｕｉｐｍｅｎｔ、ＵＥ）１０１は、ネットワークプロトコルをサポートする端末デバイスで、Ｅ−ＵＴＲＡＮ（Ｅｖｏｌｖｅｄ−ｕｎｉｖｅｒｓａｌ  Ｔｅｒｒｅｓｔｒｉａｌ  Ｒａｔｉｏ  Ａｃｃｅｓｓ  Ｎｅｔｗｏｒｋ）１０２は、無線ネットワークにアクセスするためにＵＥにインターフェースを提供する基地局（ｅＮｏｄｅＢ／ＮｏｄｅＢ）を含む無線アクセスネットワークで、ＭＭＥ（Ｍｏｂｉｌｉｔｙ  Ｍａｎａｇｅｍｅｎｔ  Ｅｎｔｉｔｙ）１０３は、ＵＥの移動性コンテキスト、セッションコンテキスト及び保安情報を管理する責任があり、ＳＧＷ（Ｓｅｒｖｉｎｇ  Ｇａｔｅｗａｙ）１０４は、主にユーザ平面を提供する役目をし、ＭＭＥ１０３とＳＧＷ１０４は同一の物理的エンティティーにあり、ＰＧＷ（Ｐａｃｋｅｔ  Ｄａｔａ  Ｇａｔｅｗａｙ）１０５は課金、法的遮断などを担当し、ＳＧＷ１０４と同一の物理的エンティティーにあり、ＰＣＲＦ（Ｐｏｌｉｃｙ  ａｎｄ  Ｃｈａｒｇｉｎｇ  Ｒｕｌｅ  Ｆｕｎｃｔｉｏｎａｌ  Ｅｎｔｉｔｙ）１０６は、ＱｏＳ（Ｑｕａｌｉｔｙ  ｏｆ  Ｓｅｒｖｉｃｅ）政策及び課金規則を提供し、サービングＧＰＲＳサポートノード（ｓｅｒｖｉｎｇ  ＧＰＲＳ  ｓｕｐｐｏｒｔ  ｎｏｄｅ、ＳＧＳＮ）１０８は、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）でデータの送信のためのラウティングを提供するネットワークノードデバイスであり、ＨＳＳ（Ｈｏｍｅ  Ｓｕｂｓｃｒｉｂｅｒ  Ｓｅｒｖｅｒ）１０９は、ＵＥのホーム所有権ザブシステム（ｈｏｍｅ  ｏｗｎｅｒｓｈｉｐ  ｓｕｂｓｙｓｔｅｍ）であり、ＵＥの現在位置、サービングノードのアドレス、ユーザ保安情報、ＵＥのパケットデータコンテキストのようなユーザ情報を保護する責任がある。
【０００６】
図１６は、従来技術の次世代ネットワーク（５Ｇ）の初期アーキテクチャーの概路図である。ここで、初期アーキテクチャーはＮｅｘｔＧｅｎ  ＵＥ、Ｎｅｘｔ  Ｇｅｎアクセスネットワーク又はＮｅｘｔ  Ｇｅｎ無線アクセスネットワーク（Ｎｅｘｔ  Ｇｅｎ  （Ｒ）ＡＮ）、ＮｅｘｔＧｅｎ  Ｃｏｒｅ及びデータネットワークを含む。Ｎｅｘｔ  Ｇｅｎ  （Ｒ）ＡＮとＮｅｘｔＧｅｎ  Ｃｏｒｅ間の制御平面インターフェースはＮＧ２（さらに、ＮＧ−Ｃとして提示される）であり、ユーザ平面インターフェースはＮＧ３（さらに、ＮＧ−Ｕとして提示される）である。このようなインターフェースは一時的に命名され、３ＧＰＰによって最終的に決定された他の名前の使用は本発明の主要内容に影響を及ぼさない。ＮｅｘｔＧｅｎ  Ｃｏｒｅはユーザ平面機能エンティティー及び制御平面機能エンティティーをさらに含む。
【発明の概要】
【発明が解決しようとする課題】
【０００７】
近い将来において、益々より多くの知能型電気装置、インターネット基盤ホームアクセサリーがあり、これらはいずれもネットワーク機能にアクセスする。一方で、ＵＥの未来部分は度々次のような特性を有する。静的又は低移動性、低費用、送信又は受信されたデータは度々少量のデータに含まれて非連続的である。このようなＵＥに対し、接続を設定して解除することによって惹起されるシグナリングオーバーヘッドは送信されたり受信されるデータの量より非常に多い。一方、仮想現実のような益々より多くのリアルタイムアプリケーションをサポートするために、将来の移動通信ネットワークのアクセス遅延を大きく減少する必要がある。シグナリングオーバーヘッドを保存し（ｓａｖｅ）、データ送信の効率を向上させ、ＵＥアクセスネットワークの遅延を減らすため、既存のネットワークは相変らず多くの問題点を有する。
【課題を解決するための手段】
【０００８】
本発明は、シグナリングオーバーヘッドが減少され、ＵＥアクセスネットワークの遅延が減少するライトコネクション制御方法及び装置を提供する。
【０００９】
本発明は、次のような技術的ソリューションを提供する。
ユーザ装置（ＵＥ）に対するライトコネクション制御方法は、第１無線アクセスネットワークノードによって、ＵＥに対するライトコネクション情報を獲得する段階、及び第１無線アクセスネットワークノードによって、ＵＥに対して獲得されたライトコネクション情報に基づいてＵＥに対するライトコネクション制御を行う段階を含む。
【００１０】
好ましくは、第１無線アクセスネットワークノードによって、第２無線アクセスネットワークノード、コアネットワークノード又はＵＥからＵＥに対するライトコネクション情報を獲得する。
【００１１】
好ましくは、ＵＥに対するライトコネクション情報は、ＵＥのアイデンティティー（ｉｄｅｎｔｉｔｙ）、ＵＥがライトコネクションを行うように許容されるかに対する情報、ＵＥに対する移動性領域範囲情報（ｍｏｂｉｌｉｔｙ  ａｒｅａ  ｓｃｏｐｅ  ｉｎｆｏｒｍａｔｉｏｎ）、ＵＥに対するアクセス及びローミング情報、ＵＥによるアクセスを許容するＣＳＧアイデンティティーリスト、ページング補助情報、及びＵＥに対するタイプ情報のうちの少なくとも一つを含む。
【００１２】
好ましくは、ＵＥに対する移動性領域範囲情報は、位置領域アイデンティティー、セルアイデンティティー、周波数アイデンティティー、周波数帯域アイデンティティー、無線アクセスネットワークノードアイデンティティー、サービス領域アイデンティティー、ネットワークスライシング（ｎｅｔｗｏｒｋ  ｓｌｉｃｉｎｇ）のアイデンティティー、無線アクセスネットワーク領域のアイデンティティーのうちの少なくとも一つを含むか、ＵＥがライトコネクションを行うように許容されるかに対する情報は、ＵＥレベルがライトコネクションのために許容されるか、ＵＥのベアラーレベルがライトコネクションが許容されるか、ＵＥのセッションレベルがライトコネクションのために許容されるか、ＵＥのＱｏＳフロー（ＱｏＳ  ｆｌｏｗ）レベルがライトコネクションのために許容されるか、ＵＥのサービスデータフローレベルがライトコネクションのために許容されるかのうちの少くとも一つを含む。
【００１３】
好ましくは、ページング補助情報は、ＵＥの無線能力、勧奨されたページング領域、ページング試み情報、ＵＥのＤＲＸ情報、ページング優先順位、カバレージ向上レベル及びコアネットワークドメイン情報とコアネットワーク制御平面データ関連情報のうちの少なくとも一つを含む。
【００１４】
好ましくは、ＵＥに対するライトコネクション制御は、第１無線アクセスネットワークノードによって、ＵＥに対する受信されたライトコネクション情報の記憶、第１無線アクセスネットワークノードによって、ＵＥに対する受信されたライトコネクション情報によってＵＥに対する記憶されたライトコネクション情報のアップデート、ＵＥに対する移動性制御、ＵＥに対する無線アクセスネットワーク側によって開始されるページングの制御、ＵＥがライトコネクションを行うかの決定、バッファリングされたＵＥデータを廃棄するかの決定のうちの少なくとも一つを含む。
【００１５】
好ましくは、無線アクセスネットワーク側によって開始されるページングの制御は、第１無線アクセスネットワークノードによって、獲得されたライトコネクション情報のうちの少なくとも一つによってＵＥに対するページングの設定、第１無線アクセスネットワークノードによって、獲得されたライトコネクション情報のうちの少なくとも一つによってＵＥに対するページング領域範囲の決定、及び第１無線アクセスネットワークノードによって、獲得されたライトコネクション情報のうちの少なくとも一つによってＵＥに対するページングを開始するように他の無線アクセスネットワークノードへのリクエストのうちの少くとも一つを含む。
【００１６】
好ましくは、ＵＥに対する移動性制御は獲得されたライトコネクション情報のうちの少なくとも一つによって第１無線アクセスネットワークノードによって設定されたＵＥに対する移動性領域範囲である。
【００１７】
無線アクセスネットワークノード装置は受信モジュール及び制御モジュールを含み、ここで、受信モジュールはＵＥに対するライトコネクション情報を獲得するように構成され、制御モジュールはＵＥに対するライトコネクション情報に基づいてＵＥに対するライトコネクション制御を行うように構成される。
【００１８】
好ましくは、無線アクセスネットワークノード装置は次のことをさらに含み、記憶モジュールはＵＥに対するライトコネクション情報を記憶するように構成されて／されるか、送信モジュールはＵＥに対するライトコネクション情報を他のデバイスに送信するように構成される。
ＵＥに対するライトコネクション制御方法は、ＵＥによって、ＵＥに対するライトコネクション情報を獲得する段階、及びＵＥによって、ＵＥに対して獲得されたライトコネクション情報に基づいてＵＥに対するライトコネクション制御を行う段階を含む。
【００１９】
好ましくは、ＵＥは事前設定によってＵＥに対するライトコネクション情報を獲得するか、ＵＥは無線アクセスネットワークノード、コアネットワークノード又は他のＵＥからＵＥに対するライトコネクション情報を獲得する。
【００２０】
好ましくは、ＵＥに対するライトコネクション情報は、ＵＥのアイデンティティー、ＵＥがライトコネクションを行うように許容されるかに対する情報、ＵＥに対する移動性領域範囲情報、ＵＥに対するアクセス及びローミング情報、ＵＥによるアクセスを許容するＣＳＧアイデンティティーリスト、ページング補助情報、及びＵＥに対するタイプ情報のうちの少なくとも一つを含む。
【００２１】
好ましくは、ＵＥによって、ＵＥに対して獲得されたライトコネクション情報に基づいてＵＥに対するライトコネクション制御を行うことは、ＵＥによって、ＵＥがＵＥに設定された移動性領域範囲で移動することをネットワークに通知すること、及びＵＥによって、ＵＥに対して受信されたライトコネクション情報によってライトコネクションのＵＥ接続解除又はＵＥ接続一時停止（ｓｕｓｐｅｎｓｉｏｎ）を受諾するように決定することのうちの少くとも一つを含む。
【００２２】
ユーザ装置（ＵＥ）は受信モジュール及び制御モジュールを含み、ここで、受信モジュールはＵＥに対するライトコネクション情報を獲得するように構成され、制御モジュールはＵＥに対するライトコネクション情報に基づいてＵＥに対するライトコネクション制御を行うように構成される。
【００２３】
好ましくは、ＵＥは送信モジュールをさらに含み、送信モジュールはＵＥに対するライトコネクション情報を他のデバイスに送信するように構成される。
【００２４】
ユーザ装置（ＵＥ）に対するライトコネクション制御方法は、第１ノードによって、ＵＥに対するライトコネクション情報を決定する段階、及び第１ノードによって、ＵＥに対して決定されたライトコネクション情報を第２ノード又はＵＥに送信する段階を含む。
【００２５】
好ましくは、第１ノードは第２無線アクセスネットワークノード又は第１コアネットワークノードであるか、第２ノードは第１無線アクセスネットワークノード又は第２コアネットワークノードである。
【００２６】
好ましくは、ＵＥに対するライトコネクション情報は、ＵＥのアイデンティティー、ＵＥがライトコネクションを行うように許容されるかに対する情報、ＵＥに対する移動性領域範囲情報、ＵＥに対するアクセス及びローミング情報、ＵＥによるアクセスを許容するＣＳＧアイデンティティーリスト、ページング補助情報、及びＵＥに対するタイプ情報のうちの少なくとも一つを含む。
【００２７】
好ましくは、第１ノードによって、ＵＥに対するライトコネクション情報は、
ＵＥがライトコネクションをサポートするか、ＵＥがアクセスするノードがライトコネクションをサポートするか、ＵＥに対するライトコネクションのリクエストが受信されるか、ＵＥがライトコネクションを許容するか、ＵＥがライトコネクションに適合するか、ＵＥサービスがライトコネクションを許容するか、ＵＥサービスがライトコネクションに適合するか、ＵＥベアラーがライトコネクションを許容するか、ＵＥベアラーがライトコネクションに適合するか、ＵＥセッションがライトコネクションを許容するか、ＵＥセッションがライトコネクションに適合するか、ＵＥ  ＱｏＳフローがライトコネクションを許容するか、ＵＥ  ＱｏＳフローがライトコネクションに適合するか、ＵＥサービスデータフローがライトコネクションを許容するか、ＵＥサービスデータフローがライトコネクションに適合するか、のうちの少くとも一つによって決定される。
【００２８】
好ましくは、第１ノードによって、ＵＥに対するライトコネクション情報を次のことのうちの少なくとも一つによって送信するように決定する。
ＵＥは第１無線アクセスネットワークノードでハンドオーバーされる必要があり、ＵＥは第１無線アクセスネットワークノードに伝達する必要があり、ＵＥに対するページングは第１無線アクセスネットワークノード下で開始される必要があり、ＵＥに対するライトコネクションリクエストが受信され、ＵＥがアクセスするノードはライトコネクションをサポートし、ＵＥはライトコネクションをサポートし、ＵＥはライトコネクションを許容し、ＵＥはライトコネクションに適合し、
ＵＥベアラーはライトコネクションを許容し、ＵＥベアラーはライトコネクションに適合し、ＵＥサービスはライトコネクションを許容し、ＵＥサービスはライトコネクションに適合する。
ネットワークノード装置は受信モジュール及び送信モジュールを含み、ここで、受信モジュールはＵＥに対するライトコネクション情報を決定するように構成され、送信モジュールはＵＥに対するライトコネクション情報を他のデバイスに送信するように構成される。
【００２９】
上述した技術的ソリューションから、無線アクセスネットワークは、ＵＥのライトコネクション情報を識別することによってＵＥによって制御され、ＵＥにより近くてＵＥをより柔軟に制御する主要ノードとなり、これはＵＥのページング及び移動性制御を最適化し、ＵＥ接続解除及びＵＥ接続セットアップのプロセスで設定されたシグナリングを節約し、ＵＥアクセスネットワークの遅延を減少させるということが分かる。
【発明の効果】
【００３０】
本発明による技術的方式を採択することによって、シグナリングオーバーヘッドが保存でき、ＵＥアクセスネットワークの遅延が減少できる。
【図面の簡単な説明】
【００３１】
【図１】ＳＡＥのライトコネクションアーキテクチャーダイヤグラムである。
【図２】本発明によるライトコネクション制御のための第１方法の概略的なフローチャートである。
【図３】本発明によるライトコネクション制御のための第２方法の概略的なフローチャートである。
【図４】本発明によるライトコネクション制御のための第３方法の概略的なフローチャートである。
【図５】本発明によるライトコネクション制御方法の実施例１の概路図である。
【図６】本発明によるライトコネクション制御方法の実施例２の概路図である。
【図７】本発明によるライトコネクション制御方法の実施例３の概路図である。
【図８】本発明によるライトコネクション制御方法の実施例４の概路図である。
【図９】本発明によるライトコネクション制御方法の実施例５の概路図である。
【図１０】本発明によるライトコネクション制御方法の実施例６の概路図である。
【図１１】本発明によるライトコネクション制御方法の実施例７の概路図である。
【図１２】本発明による好ましい無線アクセスネットワーク装置の概略的なアーキテクチャーダイヤグラムである。
【図１３】本発明による好ましい無線アクセスネットワーク装置の概略的なアーキテクチャーダイヤグラムである。
【図１４】本発明による好ましいユーザ装置の概略的なアーキテクチャーダイヤグラムである。
【図１５】本発明による好ましいネットワーク装置の概略的なアーキテクチャーダイヤグラムである。
【図１６】従来技術の次世代ネットワーク（５Ｇ）の初期アーキテクチャーの概路図である。
【発明を実施するための形態】
【００３２】
ページング領域範囲（ｐａｇｉｎｇ  ａｒｅａ  ｓｃｏｐｅ）のシグナリングを減少させて、サービスセットアップのシグナリングを減少させるため、ライトコネクション（ｌｉｇｈｔ  ｃｏｎｎｅｃｔｉｏｎ）のＵＥ接続モード（ｃｏｎｎｅｃｔｉｏｎ  ｍｏｄｅ）を提案する。ライトコネクションは、無線アクセスネットワークがＵＥの接続を解除したり、ＵＥが非活性状態（ｉｎａｃｔｉｖｅ）となる時、基地局とＭＭＥ（Ｓ１インターフェース制御平面）の間のＵＥに対する接続、基地局とＳＧＷ（Ｓ１インターフェースユーザ平面）の間のＵＥに対する接続、基地局とＡＭＦ（ＮＧ−Ｃインターフェース制御平面）の間のＵＥに対する接続、基地局とＵＰＦ（ＮＧ−Ｕインターフェースユーザ平面）の間のＵＥに対する接続のようなＵＥに対する接続を解除するようにコアネットワークにリクエストしないことを意味する。ＵＥが遊休状態（ｉｄｌｅ  ｓｔａｔｅ）であるか非活性状態である時、無線アクセスネットワークはＵＥコンテキストを相変らず維持し、（ＭＭＥ、ＳＧＷ、ＡＭＦ、ＳＭＦ、ＵＰＦのような）コアネットワークはＵＥが相変らず正常接続状態（ｎｏｒｍａｌ  ｃｏｎｎｅｃｔｅｄ  ｓｔａｔｅ）にあると見なす。ダウンリンクデータがある時、（ＳＧＷ、ＵＰＦのような）コアネットワークはＵＥのデータを基地局へ送信する。この時、ＵＥが予めアイドル状態又は非活性状態にある場合（ＵＥと基地局の間の接続が分離、一時停止又は非活性状態の場合）でダウンリンクデータがある場合、基地局はＵＥに対するページングを開始する。
【００３３】
ＵＥがアイドル状態にある時、既存のページングはコアネットワークによって開始される。コアネットワークはコアネットワークによって設定されるＵＥの移動性領域範囲である（トラッキング領域（ｔｒａｃｋｉｎｇ  ａｒｅａ）ＴＡＣ、又はＴＡＩによって構成されたリストのような）位置領域のリストをＵＥにページングするように無線アクセスネットワークにリクエストする。ＵＥが位置リストの位置領域で移動する時、ＵＥはＵＥがコアネットワークノードに位置する位置領域をアップデートしなければならない。ＵＥが（ＴＡＵ  リクエスト（ＴＡＵ  Ｒｅｑｕｅｓｔ）のような）位置アップデートリクエストを送信するためにアイドル状態にある時、ＵＥはコアネットワークとの接続を再構成する必要がある。
【００３４】
従来技術は以下のような問題点を有している。
問題点１
ライトコネクションのページングはＵＥ接続を解除したりＵＥとの接続が非活性状態となってＵＥコンテキストを記憶する無線アクセスネットワークノード（第１無線アクセスネットワークノードという）のような無線アクセスネットワークによって開始される。ＵＥがページングされる必要がある時、第１無線アクセスノードは第１無線アクセスネットワークノード下においてセルをページングしたり隣接したセルをページングするように隣接した無線アクセスネットワークノードに通知する。しかし、このようなページングセルの一部はコアネットワークによってＵＥに設定される位置領域のリストをサポートしないこともある。この時、このようなサポートされないセル下においてＵＥのページングを開始することはページングのリソースのみを浪費するだけである。
【００３５】
問題点２
ライトコネクションされた（ｌｉｇｈｔｌｙ  ｃｏｎｎｅｃｔｅｄ）ＵＥの移動性領域範囲（ｍｏｂｉｌｉｔｙ  ａｒｅａ  ｓｃｏｐｅ）は無線アクセスネットワークノードによって設定される。コアネットワークによってＵＥに設定された移動性領域範囲情報の不足によって、無線アクセスネットワークノードによってＵＥに設定された移動性領域範囲とコアネットワークノードによってＵＥに設定された移動性領域範囲との衝突につながる。
【００３６】
問題点３
無線アクセスネットワークによって開始されるページングはコアネットワーク側の情報が相変らず不足である。
【００３７】
問題点４
無線アクセスネットワークによって開始されたページングの領域範囲はページングを開始する無線アクセスネットワークノードに制限されるだけでなく他の無線アクセスネットワークノードを含むこともできる。この時、ページングを開始した無線アクセスネットワークノードはページを他の無線アクセスネットワークノードに送信する。しかし、他のアクセスネットワークノードはＵＥに対するコンテキストを有さない。
【００３８】
問題点５
一部ＵＥ又はＵＥサービスは長期間の間の休眠状態にあるＵＥのようにライトコネクションに相応しくない。現在、無線アクセスネットワークノードはＵＥのタイプが分からない。
【００３９】
問題点６
コアネットワークノードの場合、ＵＥに対する補助ライトコネクション情報（ａｓｓｉｓｔａｎｔ  ｌｉｇｈｔ  ｃｏｎｎｅｃｔｉｏｎ  ｉｎｆｏｒｍａｔｉｏｎ）の提供される必要があるかが不確かである。
【００４０】
問題点７
コアネットワークノードが制御平面データを送信する時、データ再送信タイマーが開始される。データ再送信タイマーが満了し、コアネットワークノードが送信された制御平面データに対する確認応答（ａｃｋｎｏｗｌｅｄｇｅ）を受信できなければ、コアネットワークは制御平面データを再送信する。ライトコネクションのＵＥに対し、制御平面データが無線アクセスネットワークノードに到着すると、無線アクセスネットワークページングはトリガーリングされる。ＵＥが応答せず、再送信タイマーが満了すれば、無線アクセスネットワークノードは再送信された制御平面データを受信する。無線アクセスネットワークノードはどんなデータが再送信されるかを区別できない。これは無線アクセスネットワークノードで多数の繰り返されたデータをバッファリングするのに有益ではない。さらに、ＵＥに対する多数の繰り返された制御平面データの送信はさらにＵＥの混乱（ｃｈａｏｓ）及びリソースの無線側の浪費をもたらす。
【００４１】
問題点８
コアネットワークノードは制御平面データを送信し、制御平面データは絶えず再送信されない。特定数の再送信が到着すると、再送信プロセスは終了される。再送信プロセスの終了後に、無線アクセスネットワークノードによってＵＥに連続的にページングすることは価値がない。
【００４２】
次のことは本発明の説明の中の一部である。
一部実施例で、以下の本明細書でのライトコネクションはさらに無線アクセスネットワーク又は非活性接続（ｉｎａｃｔｉｖｅ  ｃｏｎｎｅｃｔｉｏｎ）又は非活性状態（ｉｎａｃｔｉｖｅ  ｓｔａｔｅ、例えば、５Ｇの非活性状態又は非活性状態の動作）によって開始されるページングとして提示される。
【００４３】
一部実施例で、以下の本明細書に言及するＵＥに対する移動性領域範囲はさらにＵＥに対するページング領域範囲として提示される。
【００４４】
一部実施例で、以下の本明細書に言及するＵＥに対するハンドオーバー制御リストはさらにＵＥアクセス及びローミング情報として提示される。
【００４５】
一部実施例で、以下の本明細書に言及する無線アクセスネットワークノードは基地局、ｅＮＢ、ＮｏｄｅＢ、無線アクセスネットワークの中央制御ユニット及び無線アクセスネットワークノードの分配ユニットであってもよい。次世代ネットワークで、ノードの概念は機能又はユニットとして仮想化される。無線アクセスネットワークの中央制御ユニットは無線アクセスネットワークノードの多数の分配ユニットと接続される。
【００４６】
一部実施例で、以下の本明細書に言及するコアネットワークノードはＭＭＥ、ＳＧＳＮ、ＳＧＷ、ＣＣＮＦ、ＡＭＦ、ＳＭＦなどと、Ｃｏｒｅ  Ｎｅｔｗｏｒｋ  Ｃｏｎｔｒｏｌ  Ｎｏｄｅ（例えば、ＭＭＥ、ＣＣＮＦ、ＡＭＦ）、Ｃｏｒｅ  Ｎｅｔｗｏｒｋ  Ｕｓｅｒ  Ｐｌａｎｅ  Ｎｏｄｅ（ＳＭＦ、ＵＤＦ）、Ｃｏｒｅ  Ｎｅｔｗｏｒｋ  Ｃｏｎｔｒｏｌ  Ｐｌａｎ  Ｆｕｎｃｔｉｏｎ、Ｃｏｒｅ  Ｎｅｔｗｏｒｋ  Ｕｓｅｒ  Ｐｌａｎｅ  Ｆｕｎｃｔｉｏｎ、Ｃｏｒｅ  Ｎｅｔｗｏｒｋ  Ｃｏｎｔｒｏｌ  Ｐｌａｎｅ  Ｕｎｉｔ及びＣｏｒｅ  Ｎｅｔｗｏｒｋ  Ｕｓｅｒ  Ｐｌａｎｅ  Ｕｎｉｔなどであってもよい。次世代ネットワークで、ノードの概念は機能又はユニットとして仮想化される。
【００４７】
一部実施例で、以下の本明細書に言及する無線アクセスネットワーク（ＲＡＮ）領域は無線アクセスネットワークによるライトコネクションでＵＥに設定された領域である。セルによってブロードキャスティングされたＲＡＮ領域のアイデンティティーはセルが属するＲＡＮ領域を示す。ライトコネクションでのＵＥはさらに無線アクセスネットワークによって設定された移動性領域範囲で移動したかを決定する。
【００４８】
図２は、本発明によるライトコネクション制御のための第１方法の概略的なフローチャートであり、方法は以下の段階を含む。
段階２０１において、第１無線アクセスネットワークノードはＵＥに対するライトコネクション情報を獲得する。
【００４９】
選択的に、第１無線アクセスネットワークノードは、第２無線アクセスネットワークノード、コアネットワークノード又はＵＥのうちの少なくとも一つからＵＥに対するライトコネクション情報を受信する。
【００５０】
一部実施例で、第１無線アクセスネットワークノードはコアネットワークノードからＵＥに対するライトコネクション情報を獲得し、ライトコネクション情報は、初期ＵＥコンテキストセットアップリクエスト（ｉｎｉｔｉａｌ  ＵＥ  ｃｏｎｔｅｘｔ  ｓｅｔｕｐ  ｒｅｑｕｅｓｔ）、ＵＥコンテキスト修正リクエスト（ＵＥ  ｃｏｎｔｅｘｔ  ｍｏｄｉｆｉｃａｔｉｏｎ  ｒｅｑｕｅｓｔ）、ダウンリンクＮＡＳリクエスト（ｄｏｗｎｌｉｎｋ  ＮＡＳ  ｒｅｑｕｅｓｔ）、ページング（ｐａｇｉｎｇ）及び新しいメッセージのうちの少なくとも一つから獲得される。
【００５１】
一部実施例で、第１無線アクセスネットワークノードは第２無線アクセスノードからＵＥに対するライトコネクション情報を獲得し、ライトコネクション情報は、ページングリクエスト（ｐａｇｉｎｇ  ｒｅｑｕｅｓｔ）、ハンドオーバーリクエスト（ｈａｎｄｏｖｅｒ  ｒｅｑｕｅｓｔ）、ハンドオーバー応答（ｈａｎｄｏｖｅｒ  ｒｅｓｐｏｎｓｅ）、ＵＥ  コンテキスト回収リクエスト（、Ｒｅｔｒｉｅｖｅ  ＵＥ  ｃｏｎｔｅｘｔ  Ｒｅｑｕｅｓｔ）、Ｒｅｔｒｉｅｖｅ  ＵＥ  ｃｏｎｔｅｘｔ  Ｒｅｓｐｏｎｓｅ、及び新しいメッセージを含む。
【００５２】
選択的に、ＵＥに対するライトコネクション情報は、ＵＥのライトコネクション情報、ＵＥベアラー（ｂｅａｒｅｒ）のライトコネクション情報、ＵＥサービスのライトコネクション情報のうちの少なくとも一つとして提示される。
【００５３】
選択的に、ＵＥに対するライトコネクション情報は、ＵＥのアイデンティティー、ＵＥがライトコネクションを行うように許容されるかに対する情報、ＵＥに対する移動性領域範囲情報、ＵＥに対するアクセス及びローミング情報、ＵＥによるアクセスを許容するＣＳＧアイデンティティーリスト、ページング補助情報（ｐａｇｉｎｇ  ａｓｓｉｓｔａｎｔ  ｉｎｆｏｒｍａｔｉｏｎ）、及びＵＥに対するタイプ情報のうちの少なくとも一つを含む。ＵＥがライトコネクションを行うように許容されるかに対する情報は、ＵＥレベルがライトコネクションを行うように許容されるか（ライトコネクションを行うように許容されるかはＵＥが非活性状態に入るか非活性動作を行うように許容されるかとして提示される）、ＵＥベアラーレベルがライトコネクションを行うように許容されるか（例えば、特定ＵＥベアラーがＤＲＢ  ＩＤ、Ｅ−ＲＡＢ  ＩＤなどのベアラーを示すためのアイデンティティーと共に通常的に伴うライトコネクションを行うように許容されるか）、ＵＥセッションレベルがライトコネクションを行うように許容されるか（例えば、特定ＵＥセッションレベルがＰＤＵセッションＩＤ（ＰＤＵ  Ｓｅｓｓｉｏｎ  ＩＤ）などのセッションを示すためのアイデンティティーと共に通常的に伴うライトコネクションを行うように許容されるか）、ＵＥ  ＱｏＳフロー（ＱｏＳ  ｆｌｏｗ）レベルがライトコネクションを行うように許容されるか（例えば、特定ＵＥ  ＱｏＳフローレベルがＱＣＩ、ＱｏＳ、Ｆｌｏｗ  ＩＤなどのようにセッションを示すためのアイデンティティーと共に通常的に伴うライトコネクションを行うように許容されるか）、ＵＥサービスデータフローレベルがライトコネクションを行うように許容されるか（例えば、特定ＵＥサービスデータフローがサービスフローＩＤ（Ｓｅｒｖｉｃｅ  ＦｌｏｗＩＤ）、ＩＰ  ｑｕｉｎｔｕｐｌｅ、ＴＦＴ  などのサービスフローを示すためのアイデンティティーと共に通常的に伴うライトコネクションを行うように許容されるか）のうちの少くとも一つであってもよい。
【００５４】
一部実施例で、ライトコネクションを行うように許容されるかはさらにライトコネクションを行うようにサポートするか又はライトコネクションを行うのに適合するかとして提示される。
【００５５】
１）選択的に、ＵＥのアイデンティティーは、Ｓ−ＴＭＳＩ、ＩＭＳＩ、ＲｅｓｕｍｅＩＤ、ＵＥ  Ｉｄｅｎｔｉｔｙ  Ｉｎｄｅｘ  Ｖａｌｕｅ、ｓｈｏｒｔ  Ｍａｃ＿Ｉ、及びＣ−ＲＮＴＩのうちの少なくとも一つを含む。ＵＥのアイデンティティーはＵＥのページングアイデンティティー又はＵＥコンテキストを獲得するためのアイデンティティーとして用いられる。ＵＥアイデンティティーインデックス値は無線アクセスネットワークノードがＵＥのページングサイクル（ｐａｇｉｎｇ  ｃｙｃｌｅ）を計算するために用いられる。ＵＥのアイデンティティーは（Ｓ−ＴＭＳＩ、ＩＭＳＩなどの）コアネットワーク側でのＵＥのアイデンティティー及び／又は（Ｒｅｓｕｍｅ  ＩＤ、ｓｈｏｒｔ  ＭＡＣ＿Ｉのような）無線アクセスネットワーク側でのＵＥのアイデンティティーであってもよい。
【００５６】
２）ページング補助情報は次のことのうちの少なくとも一つを含む。
ＵＥの無線能力（例えば、サポートされた周波数ポイント（例えば、ＥＡＲＦＣＮ、帯域））。
例えば、ＵＥの無線能力をサポートするセルはＵＥのページング領域範囲内にあり、ＵＥの無線能力をサポートしないセルはＵＥのページング領域範囲内にないこともある。
【００５７】
勧められたページング領域。
選択的に、勧められたページング情報は、勧められたページングセルのリスト、勧められたページング無線アクセスネットワークノードのリストのうちの少なくとも一つを含む。
【００５８】
ページング試み情報（Ｐａｇｉｎｇ  Ａｔｔｅｍｐｔ  Ｉｎｆｏｒｍａｔｉｏｎ）。
選択的に、ページング試み情報は、ページング試みカウント（Ｐａｇｉｎｇ  Ａｔｔｅｍｐｔ  Ｃｏｕｎｔ）、意図したページング試み数（Ｉｎｔｅｎｄｅｄ  Ｎｕｍｂｅｒ  ｏｆ  Ｐａｇｉｎｇ  Ａｔｔｅｍｐｔｓ）、次のページング領域範囲（Ｎｅｘｔ  Ｐａｇｉｎｇ  Ａｒｅａ  Ｓｃｏｐｅ）が変更されるかのうちの少くとも一つを含む。
【００５９】
ＵＥのＤｉｓｃｏｎｔｉｎｕｏｕｓ  Ｒｅｃｅｐｔｉｏｎ（ＤＲＸ）情報。
選択的に、ＵＥのＤＲＸ情報は、ＵＥ特定ＤＲＸ（ＵＥ−ｓｐｅｃｉｆｉｃ  ＤＲＸ）、ＵＥの向上したＤＲＸ（ｅｎｈａｎｃｅｄ  ＤＲＸ）、及び向上したＤＲＸ下のＵＥのページング時間ウィンドウ（ｐａｇｉｎｇ  ｔｉｍｅ  ｗｉｎｄｏｗ）のうちの少なくとも一つを含む。ＵＥに対するＤＲＸ情報は無線アクセスネットワークノードがＵＥのページングフレーム又はページングサブフレームの位置を計算するために用いられる。
【００６０】
ページング優先順位（Ｐａｇｉｎｇ  ｐｒｉｏｒｉｔｙ）。
ＭＰＤＣＣＨ（Ｍａｃｈｉｎｅ  Ｔｙｐｅ  Ｃｏｍｍｕｎｉｃａｔｉｏｎ  ＰＤＣＣＨ）−繰り返しのようなページング繰り返し時間に対応するカバレッジ向上レベル（Ｃｏｖｅｒａｇｅ  Ｅｎｈａｎｃｅｍｅｎｔ  Ｌｅｖｅｌ）。最新カバレッジ向上レベルなど。
【００６１】
コアネットワークドメイン情報（ＣＮドメイン）。
コアネットワーク制御平面データ関連情報。コアネットワーク制御平面データ関連情報は、制御平面データのシーケンス数、制御平面データのタイプ、制御平面データが再送信された制御平面データであるかの指示（ｉｎｄｉｃａｔｉｏｎ）、制御平面データの現在の再送信数、制御平面データに対する再送信タイマーの持続時間（例えば、ＮＡＳ  ＰＤＵの再送信タイマー）、最大再送信数、制御平面データのデータ有効時間（さらに、制御平面データのデータ有効持続時間として提示される）のうちの少くとも一つを含む。制御平面データのタイプはベアラー設定、修正及び削除に係るＮＡＳシグナリング；ＰＤＵセッション設定、修正及び削除に係るＮＡＳシグナリングのようにＵＥとコアネットワークの間の非アクセス階層シグナリングタイプ（ｎｏｎ−ａｃｃｅｓｓ  ｓｔｒａｔｕｍ  ｓｉｇｎａｌｉｎｇ  ｔｙｐｅ）（例えば、ＮＡＳシグナリング）であってもよい。コアネットワーク制御平面データに係る情報はそれぞれの受信された制御平面データパケットと共に受信されたり制御平面データと別個に受信される。制御平面データパケットと共に受信モードは、個別情報要素（ｉｎｆｏｒｍａｔｉｏｎ  ｅｌｅｍｅｎｔ、ＩＥ）による受信、制御平面データパケットのヘッダーに含まれることによる受信、アップリンク又はダウンリンクＮＡＳ送信メッセージ（例えば、ＵＬ  ＮＡＳ送信、ＤＬ  ＮＡＳ送信）による受信であってもよい。
【００６２】
制御平面データのデータ有効時間は制御平面データ及び最大再送信数に対する再送信タイマーの持続時間によって計算される。
【００６３】
無線アクセスネットワークノードは制御平面データのタイプによって、データに対する再送信タイマーの持続時間、最大再送信数及び制御平面データのデータ有効時間のうちの少なくとも一つを推論する。一部実施例において、相違するタイプの制御平面データに係る情報は無線アクセスネットワークノードで事前設定され、制御平面データに係る情報は、データに対する再送信タイマーの持続時間、最大再送信数及び制御平面データのデータ有効時間のうちの少なくとも一つを含む。
【００６４】
無線アクセスネットワークノードは、制御平面データ及び／又は受信された制御平面データのシーケンス数によって、現在受信された制御平面データが再送信されたデータであるか、制御平面データのシーケンス数に対応する制御平面データが再送信されるかを推論する。
【００６５】
無線アクセスネットワークノードは、制御平面データのシーケンス数及び／又は制御平面データが再送信された制御平面データであるかの指示（ｉｎｄｉｃａｔｉｏｎ）によって、シーケンス数に対応する受信された制御平面データのデータ有効時間が再送信タイマーの他の持続時間に拡張されたことを推論する。無線アクセスネットワークノードは制御平面データによってトリガーリングされた無線アクセスネットワークページングを続けるかを制御平面データをＵＥに送信する。
【００６６】
無線アクセスネットワークノードは現在再送信数によって、制御平面データが再送信されたデータであるか、それが最後の再送信であるか、制御平面データのデータ有効時間のうちの少なくとも一つを推論する。
【００６７】
３）選択的に、ＵＥに対する移動性領域範囲情報は、位置領域アイデンティティー、セルアイデンティティー、周波数アイデンティティー、周波数帯域アイデンティティー、無線アクセスネットワークノードアイデンティティー、サービス領域アイデンティティー、ネットワークスライシングのアイデンティティー、ＴＡＩ、ＴＡＣ、ＲＡＮ領域のアイデンティティー及びＲＡＩのようなＵＥの位置アイデンティティー、ＰＣＩ及びＥＣＧＩのようなセルアイデンティティー、ＥＡＲＦＣＮのような周波数アイデンティティー、ｅＮＢ  ＩＤ、ｅＮＢ  ＵＥ  Ｘ２ＡＰ  ＩＤのような無線アクセスネットワークノードアイデンティティーのうちの一つ以上を含む。
【００６８】
一部実施例で、ＵＥに対する移動性領域範囲は位置領域ＴＡのようなコアネットワークノードによって設定されるＵＥに対する移動性領域範囲である。他の実施例で、ＵＥに対する移動性領域範囲はライトコネクションでのＵＥの移動性のためのセル、又はライトコネクションでのＵＥのＵＥ移動性のためのＲＡＮ領域のように無線アクセスネットワークノードによってＵＥに設定されるＵＥに対する移動性領域範囲である。設定されたＲＡＮ領域又はセルはＵＥに対して設定されたＴＡ領域を外れないこともある。一部具現において、ＵＥが設定されたＴＡ領域を移動してＵＥが接続される時、ＵＥはコアネットワークに対する位置アップデートをトリガーリングする。無線ネットワークはこのような機会にＵＥに対する移動性領域範囲をＵＥにアップデートする。
【００６９】
一部実施例で、ＵＥはＵＥに対する移動性領域範囲内で移動する時にネットワークノードに通知しないこともあり、ＵＥはＵＥに対する移動性領域範囲を外れる時にネットワークに通知する必要があり、位置アップデートリクエスト手続きを開始する。ＵＥがアイドル状態、ライトコネクション又は非活性状態にある時、ＵＥ接続を先ずセットアップする必要があり、そんな後に位置アップデートリクエスト手続きを開始する。ＵＥがコアネットワークによって設定された移動性領域範囲を外れる時、位置アップデートをコアネットワークノードに通知する必要がある。一部実施例で、ＵＥが無線アクセスネットワークノードによって設定された移動性領域範囲を外れる時、位置アップデートを無線アクセスネットワークノードに通知する必要がある。
【００７０】
一部実施例で、ＵＥに対する移動性領域範囲情報はＵＥに対するページング領域範囲情報として設定され、第１無線アクセスネットワークノードはＵＥに対する移動性領域範囲内のＵＥに対するページングを開始する。
【００７１】
４）選択的に、ＵＥに対するアクセス及びローミング情報は、ＵＥがローミングＵＥであるか否か、ＵＥアクセスを許容する範囲、ＵＥローミングを許容する範囲、ＵＥアクセスを許容しない範囲、ＵＥローミングを許容しない範囲、及びハンドオーバー制限リストのうちの一つとして示される。
【００７２】
選択的に、ＵＥに対するアクセス及びローミング情報は、アクセスを許容するＰＬＭＮのアイデンティティー（例えば、登録及び等価ＰＬＭＮ）、アクセスを許容する位置領域のアイデンティティー、アクセスを許容するセルのアイデンティティー、アクセスを許容する無線アクセスネットワークノードのアイデンティティー、アクセスを許容しないＰＬＭＮ（例えば、登録及び等価ＰＬＭＮ）のアイデンティティー、アクセスを許容しない位置領域のアイデンティティー、アクセスを許容しないセルのアイデンティティー、アクセスを許容しない無線アクセスネットワークノードのアイデンティティーのうちの少なくとも一つを含む。
【００７３】
一部実施例で、ＵＥがアクセスできる範囲内のＵＥに対してはページングが開始され、ＵＥがアクセスできない範囲内のＵＥに対してはページングが開始されない。
【００７４】
５）選択的に、ＵＥに対するタイプ情報は、ＵＥのタイプ、ＵＥベアラーのタイプ、及びＵＥのサービスタイプのうちの少なくとも一つを含む。一部実施例で、ライトコネクションはＵＥの一部タイプ上で行われ、この中の一部はライトコネクションに適合しない。
【００７５】
段階２０２で、第１無線アクセスネットワークノードは必要によりＵＥに対する受信されたライトコネクション情報に基づいてＵＥに対するライトコネクション制御を行う。
【００７６】
選択的に、ライトコネクション制御は次の項目中の一つ以上を含むが、これに限定されない。
第１無線アクセスネットワークノードのＵＥに対する受信されたライトコネクション情報の記憶、第１無線アクセスネットワークノードのＵＥに対する受信されたライトコネクション情報によるＵＥに対する記憶されたライトコネクション情報のアップデート、ＵＥに対する移動性制御、ＵＥに対する無線アクセスネットワーク側によって開始されるページング制御、ＵＥがライトコネクションを行うことができるかの判断、バッファリングドエンＵＥデータを廃棄するかの判断。
【００７７】
１）選択的に、ＵＥに対する無線アクセスネットワーク側によって開始されるページング制御は次のうちの少なくとも一つを含む。
第１無線アクセスネットワークノードは獲得されたライトコネクション情報のうちの少なくとも一つによってＵＥに対するページングリソースを設定する。ページングリソースはページングサイクル、ページング時間、ページングフレーム及びページングサブフレームと同一であってもよい。
【００７８】
無線アクセスネットワークノードは獲得されたライトコネクション情報のうちの少なくとも一つに基づいてＵＥに対するページング領域範囲を決定する。一部実施例で、第１無線アクセスネットワークノードによって決定するページング領域範囲は、第１無線アクセスネットワークノード（例えば、第１無線アクセスネットワークノード下のセル）のページング領域範囲、他の無線アクセスネットワークノード（例えば、他の無線アクセスネットワークノード下のセル）のページング領域範囲のうちの少なくとも一つを含む。
【００７９】
第１無線アクセスネットワークノードは獲得されたライトコネクション情報のうちの少なくとも一つによってＵＥに対するページングを開始するように他の無線アクセスネットワークノードにリクエストする。一部実施例で、他の無線アクセスネットワークノードは第１無線アクセスネットワークノードとのインターフェースを有する。他の実施例で、第１無線アクセスネットワークノードは獲得されたライトコネクション情報をＵＥに対するページングを開始する必要がある他の無線アクセスネットワークノードに送信する。
【００８０】
一部実施例で、第１無線アクセスネットワークノードは段階２０１でページング補助情報のうちの少なくとも一つによってページングリソースを設定したりページング領域範囲を決定する。
【００８１】
一部実施例で、第１無線アクセスネットワークノードは受信されたＵＥの無線能力によってページング制御を行う。第１無線アクセスネットワークノードはＵＥによってサポートされる周波数ポイントをサポートするセル及び／又は他の無線アクセスネットワークノードに対するページングを開始し、第１無線アクセスネットワークノードはＵＥによってサポートされる周波数ポイントをサポートしないセル又は他の無線アクセスネットワークノードに対するページングを開始しないこともある。
【００８２】
一部実施例で、第１無線アクセスネットワークノードはＵＥによるアクセスを許容する受信されたＣＳＧアイデンティティーリストによってページング制御を行う。
【００８３】
一部実施例で、第１無線アクセスネットワークノードはＵＥに対する受信された移動性領域範囲によってページング制御を行う。第１無線アクセスネットワークノードはＵＥに対する移動性領域範囲情報によって示された移動性領域範囲をサポートするセル又は他の無線アクセスネットワークノードに対するＵＥに対するページングを開始する。第１無線アクセスネットワークノードはＵＥに対する移動性領域範囲情報によって示された移動性領域範囲をサポートしないセル又は他の無線アクセスネットワークノードに対するＵＥに対するページングを開始しないこともある。
【００８４】
第１無線アクセスネットワークノードはコアネットワークノード制御平面データ関連情報（例えば、段階２０１で説明したようなコアネットワーク制御平面データ関連情報）によってＵＥ（例えば、ライトコネクション又は非活性状態のＵＥ）に対する無線アクセスネットワークページング制御を決定し、例えば、ページング繰り返し回数又はページング持続時間を決定する。ＵＥからのページング応答が制御平面データのデータ有効時間内で受信されなければ、第１無線アクセスネットワークノードはページング試みを繰り返す。制御平面データのデータ有効時間が満了するまでに、ＵＥからの任意の応答が相変らず受信されなければ、第１無線アクセスネットワークノードは、ＵＥに対する無線アクセスネットワークページングの中止、制御平面データに対する送信失敗のコアネットワークノードへの通知、関連するコアネットワーク制御平面データの廃棄、ＵＥが到着できないことのコアネットワークノードへの通知、無線アクセスネットワークページング失敗のコアネットワークノードへの通知、第１無線アクセスネットワークとコアネットワークの間のＵＥ連関された接続の解除のうちの少くとも一つを行う。
【００８５】
２）選択的に、ＵＥに対する移動性制御は次のうちの少なくとも一つを含む。
第１無線アクセスネットワークノードは獲得されたライトコネクション情報のうちの少なくとも一つによってＵＥに対する移動性領域範囲を設定する。
一部実施例で、第１無線アクセスネットワークノードは受信されたハンドオーバー制限リストによってＵＥに対する移動性領域範囲を設定する。第１無線アクセスネットワークノードによって設定されるＵＥに対する移動性領域範囲はハンドオーバー制限リストで許容されない範囲になってはいけない。
【００８６】
一部実施例で、第１無線アクセスネットワークノードはＵＥに対する受信された移動性領域範囲によってＵＥに対する移動性領域範囲を設定する。第１無線アクセスネットワークノードによって設定されたＵＥに対する移動性領域範囲はＵＥに対する受信された移動性領域範囲情報によって示された移動性領域範囲を超過できない。一部実施例で、コアネットワークノード、例えば、第１無線アクセスネットワークノードによってＵＥに対して設定されたＵＥに対する移動性領域範囲を超過しない第１無線アクセスネットワークノードによって設定されたＵＥに対する移動性領域範囲はＵＥに対するコアネットワーク設定をサポートしない位置領域（例えば、ＴＡ）のセル、ＲＡＮ領域又は基地局をＵＥの移動性領域範囲として設定できない。
【００８７】
３）選択的に、ＵＥがライトコネクションを行うことができるかを判断することは次のうちの少なくとも一つを含む。
第１無線アクセスネットワークノードは獲得されたライトコネクション情報のうちの少なくとも一つによってＵＥがライトコネクションを行うことができるかを判断する。
【００８８】
一部実施例で、第１無線アクセスネットワークノードはＵＥがライトコネクションを行うことができるかに対する受信された指示（ｉｎｄｉｃａｔｉｏｎ）によってＵＥがライトコネクションを行うことができるかを判断する。一部実施例で、ＵＥがライトコネクションを行うことができない時、ライトコネクションは行われない。
【００８９】
一部実施例で、ＵＥは強化されたＤＲＸを有するＵＥのように、電力を節約するために長年の間位置アップデートを開始しないこともあり、第１無線アクセスネットワークはＵＥがライトコネクションを行うことができないようにできる。例えば、ＵＥコンテキストを解除し、ＵＥと無線コアネットワークの間のＵＥ接続を解除する時の無線ネットワークとコアネットワークの間のＵＥ連関された接続を解除する。
【００９０】
一部実施例で、第１無線アクセスネットワークノードはＵＥの受信されたタイプがＵＥにライトコネクションを行うように許容するかによってＵＥがライトコネクションを行うことができるかを判断する。
これにより、この方法のフローは終了する。
【００９１】
４）選択的に、ＵＥがライトコネクションを行うことができるかを判断することは、ＵＥがライトコネクションを行うように設定できるか、ＵＥベアラーを維持、解除及び一時停止できるか、ＵＥセッションを維持、解除及び一時停止できるか、ＵＥ  ＱｏＳフローを維持、解除及び一時停止できるか、ＵＥサービスデータフローを維持、解除及び一時停止できるかのうちの少くとも一つを含む。第１無線アクセスネットワークノードはＵＥがライトコネクションを行うように許容されるかに対する情報によってＵＥがライトコネクションを行うことができるかを判断する。
【００９２】
ａ）ライトコネクションを行うようにＵＥを設定できるかの動作は次のうちの少なくとも一つを含む。
ＵＥがライトコネクションを行うように許容されなければ、第１無線アクセスネットワークノードはライトコネクションを行うようにＵＥを設定できない。
ＵＥがライトコネクションを行うように許容されると、第１無線アクセスネットワークノードはライトコネクションを行うようにＵＥを設定できる。
【００９３】
ｂ）ＵＥベアラーを維持、解除及び一時停止できるかの動作は次のうちの少なくとも一つを含む。
ＵＥベアラーがライトコネクションを行うように許容されると、ＵＥがライトコネクションになるかＵＥベアラーが非活性状態となる時（例えば、ＵＥベアラーが一定期間の間のデータ送信を有しない時）、第１無線アクセスネットワークノードは第１無線アクセスネットワークノードとコアネットワークノードの間のＵＥベアラーと連関されたトンネルを解除できないか維持する。したがって、ＵＥがライトコネクション状態にあると、ＵＥベアラーのデータは第１無線アクセスネットワークノードに相変らず直接到着する。
【００９４】
ＵＥベアラーがライトコネクションを行うように許容されなければ、ＵＥがライトコネクションとなるかＵＥベアラーが非活性状態となる時、第１無線アクセスネットワークノードはＵＥベアラーを解除したり一時停止でき、例えば第１無線アクセスネットワークノードとコアネットワークノードの間のＵＥベアラーに対するトンネルを解除したり一時停止する。したがって、ＵＥがライトコネクション状態にあれば、ＵＥベアラー上のデータはコアネットワークに記憶される。データがコアネットワークに到着した後、コアネットワークはＵＥに対するコアネットワークレベルページングを開始できるかＵＥベアラー（例えば、ＲＡＮとＣＮ間のＵＥベアラーに対するトンネル）を設定するように無線アクセスネットワークにリクエストする。ＵＥベアラーセットアップリクエストを受信した後、第１無線アクセスネットワークノードはＵＥに対する無線アクセスネットワークページングを開始する。コアネットワークページング又は無線アクセスネットワークページングに応答した後に、ＵＥは接続された状態に入り、ＵＥベアラー上でデータを継続送受信する。
【００９５】
ｃ）ＵＥセッションを維持、解除及び一時停止できるかの動作は次のうちの少なくとも一つを含む。
ＵＥセッションがライトコネクションを行うように許容されると、ＵＥがライトコネクションとなるかＵＥセッションが非活性状態になる時（例えば、ＵＥセッションが一定期間の間のデータ送信を有しない時）、第１無線アクセスネットワークは第１無線アクセスネットワークノードとコアネットワークノードの間のＵＥセッションと連関されたトンネルを解除できないか維持する。したがって、ＵＥがライトコネクション状態にあると、ＵＥセッションレベルのデータは第１無線アクセスネットワークノードに相変らず直接到着する。
【００９６】
ＵＥセッションがライトコネクションを行うように許容されなければ、ＵＥがライトコネクションとなるかＵＥセッションが非活性状態となる時（例えば、ＵＥセッションが一定期間の間のデータ送信を有しない時）、ＵＥセッションを解除したり一時停止するための第１無線アクセスネットワークリクエストは、例えば、第１無線アクセスネットワークノードとコアネットワークノードの間のＵＥセッションに対するトンネルを解除したり一時停止する。したがって、ＵＥがライトコネクション状態にあると、ＵＥセッションのデータはコアネットワークノードでバッファリングされる。データがコアネットワークに到着すると、コアネットワークはＵＥに対するコアネットワークレベルページングを開始できるかコアネットワークはＵＥとのセッション（例えば、ＲＡＮとＣＮの間のＵＥセッションに対するトンネル）を設定するように無線アクセスネットワークにリクエストする。ＵＥセッションセットアップリクエストを受信した後、第１無線アクセスネットワークノードはＵＥに対する無線アクセスネットワークページングを開始する。コアネットワークページング又は無線アクセスネットワークページングに応答した後に、ＵＥは接続された状態に入り、ＵＥセッション上のデータを継続送受信する。
すべてのＵＥセッションがライトコネクションを行うように許容されなければ、条件が満足されるとライトコネクションを行うようにＵＥを設定する代りに第１無線アクセスネットワークノードはＵＥを解除する。
【００９７】
ｄ）ＵＥ  ＱｏＳフローを維持、解除及び一時停止できるかの動作は次のうちの少なくとも一つを含む。
ＵＥ  ＱｏＳフローがライトコネクションを行うように許容されると、ＵＥがライトコネクションとなるかＵＥ  ＱｏＳフローが非活性状態となる時（例えば、一定期間の間、ＵＥに対するＱｏＳフローデータ送信がない時）、第１無線アクセスネットワークは第１無線アクセスネットワークノードとコアネットワークノードの間のＵＥ  ＱｏＳフローと連関されたトンネルを解除できないか維持する。ＵＥ  ＱｏＳフローがＵＥセッションと連関されたトンネルで送信されるので、第１無線アクセスネットワークノードとコアネットワークノードの間のＵＥ  ＱｏＳフローと連関された維持されたトンネルはＱｏＳフローが位置されるＵＥセッションと連関されたトンネルである。したがって、ＵＥがライトコネクション状態にあると、ＵＥ  ＱｏＳフローのデータは第１無線アクセスネットワークノードに相変らず直接到着する。
【００９８】
ＵＥ  ＱｏＳフローがライトコネクションを行うように許容されなければ、ＵＥがライトコネクションとなるかＵＥ  ＱｏＳフローが非活性状態となる時、第１無線アクセスネットワークノードは無線ベアラーをＱｏＳフローと連関解除するようにＵＥにリクエストする。第１無線アクセスネットワークノードはさらにＱｏＳフローを解除するようにコアネットワークにリクエストする。したがって、ＵＥがライトコネクション状態にあると、ＵＥ  ＱｏＳフローのデータはコアネットワークに記憶される。データがコアネットワークに到着すると、コアネットワークはコアネットワークレベルページングを開始できるかコアネットワークはＱｏＳフローに対するリソースを設定するように無線アクセスネットワークノードにリクエストする。第１無線アクセスネットワークノードはＵＥ  ＱｏＳフローに対する無線ベアラーを設定するかこれに相応して無線ベアラーをＵＥ  ＱｏＳフローと連関させる。
【００９９】
ＵＥセッションでＱｏＳフローのうちのいずれもライトコネクションを行うように許容されなければ、ＵＥがライトコネクションとなるかＵＥセッション内のすべてのＵＥ  ＱｏＳフローが非活性状態となる時、第１無線アクセスネットワークノードはＵＥセッションを解除したり一時停止するようにリクエストする。
【０１００】
ＵＥベアラーでＱｏＳフローのうちのいずれもライトコネクションを行うように許容されなければ、ＵＥがライトコネクションとなるかＵＥセッション内のすべてのＵＥ  ＱｏＳフローが非活性状態となる時、第１無線アクセスネットワークノードはＵＥベアラーを解除したり一時停止するようにリクエストする。
【０１０１】
ＵＥセッションでＱｏＳフローのうちの少なくとも一つがライトコネクションを行うように許容されると、ＵＥがライトコネクションとなるかＵＥセッションですべてのＵＥ  ＱｏＳフローが非活性状態となる時、第１無線アクセスネットワークノードは第１無線アクセスネットワークノードとコアネットワークノードの間のＵＥセッションに対するトンネルを解除したり維持するようにリクエストしないこともある。
【０１０２】
ＵＥベアラーでＱｏＳフローのうちの少なくとも一つがライトコネクションを行うように許容されると、ＵＥがライトコネクションとなるかＵＥベアラーですべてのＵＥ  ＱｏＳフローが非活性状態となる時、第１無線アクセスネットワークノードはＵＥベアラーを解除したり維持するようにリクエストしないこともある。
【０１０３】
ｅ）ＵＥサービスデータフローを維持、解除及び一時停止できるかの動作は次のうちの少なくとも一つを含む。
ＵＥサービスデータフローがライトコネクションを行うように許容されると、ＵＥがライトコネクションとなるかＵＥサービスデータフローが非活性状態となる時（例えば、一定期間の間のＵＥに対するサービスデータフローデータ送信がない時）、第１無線アクセスネットワークは第１無線アクセスネットワークノードとコアネットワークノードの間のＵＥに対するＵＥサービスデータフローと連関されたトンネルを解除できないか維持する。ＵＥサービスデータフローがＵＥセッションのトンネルで送信されるので、第１無線アクセスネットワークノードとコアネットワークノードの間のＵＥに対するＵＥサービスデータフローと連関された維持されたトンネルはサービスデータフローが位置されるＵＥセッションと連関されたトンネルである。したがって、ＵＥがライトコネクション状態にあると、ＵＥサービスデータフローのデータは第１無線アクセスネットワークノードに相変らず直接到着する。
【０１０４】
ＵＥサービスデータフローがライトコネクションを行うように許容されなければ、ＵＥがライトコネクションとなるかＵＥサービスデータフローが非活性状態となる時、第１無線アクセスネットワークノードはサービスデータフローと連関された無線ベアラーを解除したり一時停止するようにリクエストする。第１無線アクセスネットワークノードはさらにサービスデータフローを解除するようにコアネットワークにリクエストする。したがって、ＵＥがライトコネクション状態にあると、ＵＥサービスデータフローのデータはコアネットワークに記憶される。データがコアネットワークに到着すると、コアネットワークはコアネットワークレベルページングを開始できるかコアネットワークはサービスデータフローに対するリソースを設定するように無線アクセスネットワークノードにリクエストする。第１無線アクセスネットワークノードはこれに相応してＵＥサービスデータフローに対する無線ベアラーを設定する。
【０１０５】
ＵＥセッションでサービスデータフローのうちのいずれもライトコネクションを行うように許容されなければ、ＵＥがライトコネクションとなるかＵＥセッション内のすべてのＵＥサービスデータフローが非活性状態となる時、第１無線アクセスネットワークノードはＵＥセッションを解除したり一時停止するようにリクエストする。
【０１０６】
ＵＥ  ＱｏＳフローでサービスデータフローのうちのいずれもライトコネクションを行うように許容されなければ、ＵＥがライトコネクションとなるかＵＥ  ＱｏＳフロー内のすべてのＵＥサービスデータフローが非活性状態となる時、第１無線アクセスネットワークノードはＵＥ  ＱｏＳフローを解除するか一時停止するようにリクエストする。
【０１０７】
ＵＥベアラーでサービスデータフローのうちのいずれもライトコネクションを行うように許容されなければ、ＵＥがライトコネクションになるかＵＥベアラーですべてのＵＥサービスデータフローが非活性状態となる時、第１無線アクセスネットワークノードはＵＥベアラーを解除したり一時停止するようにリクエストする。
【０１０８】
ＵＥセッションでサービスデータフローのうちの少なくとも一つがライトコネクションを行うように許容されると、ＵＥがライトコネクションとなるかＵＥセッションですべてのＵＥサービスデータフローが非活性状態になる時、第１無線アクセスネットワークノードは第１無線アクセスネットワークノードとコアネットワークノードの間のＵＥセッションに対するトンネルを解除したり維持するようにリクエストしないこともある。
【０１０９】
ＵＥ  ＱｏＳフローでサービスデータフローのうちの少なくとも一つがライトコネクションを行うように許容されると、ＵＥがライトコネクションになるかＵＥ  ＱｏＳフローですべてのＵＥサービスデータフローが非活性状態になる時、第１無線アクセスネットワークノードはＵＥ  ＱｏＳフローを解除するか維持するようにリクエストしないこともある。
【０１１０】
ＵＥベアラーでサービスデータフローのうちの少なくとも一つがライトコネクションを行うように許容されると、ＵＥがライトコネクションとなるかＵＥベアラーですべてのＵＥサービスデータフローが非活性状態になる時、第１無線アクセスネットワークノードはＵＥベアラーを解除するか維持するようにリクエストしないこともある。
【０１１１】
５）選択的に、バッファリングされたＵＥデータを廃棄するかの判断は次の中の一つを含む。繰り返された制御平面データを廃棄するか又はバッファリングされたＵＥデータを廃棄するかのうちの一つを含む。
【０１１２】
第１無線アクセスネットワークノードはコアネットワーク制御平面データ関連情報（例えば、段階２０１で説明したようなコアネットワーク制御平面データ関連情報）によって繰り返された制御平面データを廃棄するかを判断する。第１無線アクセスネットワークノードが再送信された制御平面データを受信するように確認する時と、再送信された以前の制御平面データがまだ送信されなかったか成功的に送信されなかったら、第１無線アクセスネットワークノードは、再送信された以前の制御平面データの削除、再送信された以前の制御平面データに係るページングの停止、再送信された制御平面データの削除のうちの少くとも一つを行う。
【０１１３】
図３は、本発明によるライトコネクション制御のための第２方法の概略的なフローチャートであり、このような方法は以下の段階を含む。
【０１１４】
段階３０１で、ＵＥはＵＥに対するライトコネクション情報を獲得する。
選択的に、ＵＥは事前設定によってＵＥに対するライトコネクション情報を獲得できるか、ＵＥは無線アクセスネットワークノード及びコアネットワークノードのうちの少なくとも一つからＵＥに対するライトコネクション情報を受信する。
選択的に、ＵＥに対するライトコネクション情報は段階２０１で説明した通りである。
【０１１５】
段階３０２で、ＵＥはＵＥに対して獲得されたライトコネクション情報によってライトコネクション制御を行う。
選択的に、ＵＥは次のうちの少なくとも一つを行う。
【０１１６】
ＵＥがＵＥに対して設定された移動性領域範囲を外れることをＵＥはネットワークに通知する。ＵＥがＵＥに対して設定された移動性領域範囲を外れる時、ＵＥは、例えば、ネットワークに対する接続セットアップ、接続再開又は位置アップデートリクエストを開始することをネットワークに通知する必要がある。一部実施例で、ＵＥに対するコアネットワークによって設定された移動性領域範囲を外れる時、ＵＥはコアネットワークに対する位置アップデートリクエストを開始する。他の実施例で、ＵＥは無線アクセスネットワークによってＵＥに対する無線アクセスネットワークによって設定された移動性領域範囲を外れ、ＵＥは接続セットアップ又は接続再開手続きを開始する。受信された無線アクセスネットワークノードがＵＥコンテキストを記憶した無線アクセスネットワークノードではない場合、ＵＥコンテキストはＵＥコンテキストを記憶した無線アクセスネットワークから獲得される。
【０１１７】
ＵＥに対して受信されたライトコネクション情報によってＵＥはライトコネクションのＵＥ接続解除又はＵＥ接続一時停止を受諾するように決定する。
【０１１８】
ＵＥはＵＥに対するライトコネクション情報を無線アクセスネットワーク又はコアネットワークノードに送信する。例えば、他の無線アクセスネットワークノードへ移動すれば、ＵＥはＵＥに対して獲得されたライトコネクション情報をＵＥがアクセスする無線アクセスネットワークノード又はＵＥがアクセスするコアネットワークノードに送信する。
これにより、この方法のフローは終了する。
【０１１９】
図４は、本発明によるライトコネクション制御のための第３方法の概略的なフローチャートであり、この方法は以下の段階を含む。
【０１２０】
段階４０１において、第１ノードはＵＥに対するライトコネクション情報を決定する。
選択的に、第１ノードは、無線ネットワークノード及びコアネットワークノードのうちの少なくとも一つであっても良い。第１ノードは第２無線ネットワークノード又は第１コアネットワークノードであっても良い。
【０１２１】
選択的に、第１ノードはＵＥが次のうちの少なくとも一つによってライトコネクションを行うことができるかを判断する。
ＵＥがライトコネクションをサポートするか、ＵＥがアクセスするノードがライトコネクションをサポートするか。ノードは無線アクセスネットワークノード及びコアネットワークノードのうちの少なくとも一つであっても良く、ＵＥに対するライトコネクションリクエストが受信されるか。ＵＥに対するライトコネクションリクエストはＵＥ又はＵＥがアクセスするノードからである。選択的に、ＵＥに対するライトコネクションリクエストはＵＥに対する新しい無線状態として存在し、
ＵＥがライトコネクションを許容するか。例えば、ＵＥの加入データがライトコネクションを許容するか、ＵＥがライトコネクションに適合するか。
例えば、長期間の間の節電モードにあるＵＥ、長期間の間のネットワークの位置をアップデートしないＵＥ、早く移動するＵＥは、
ＵＥサービスがライトコネクションを許容するか、
ＵＥサービスがライトコネクションに適合するか、
ＵＥベアラーがライトコネクションを許容するか、
ＵＥベアラーがライトコネクションに適合するか、
ＵＥセッションがライトコネクションを許容するか、
ＵＥセッションがライトコネクションに適合するか、
ＵＥ  ＱｏＳフローがライトコネクションを許容するか、
ＵＥ  ＱｏＳフローがライトコネクションに適合するか、
ＵＥサービスデータフローがライトコネクションを許容するか、
ＵＥサービスデータフローがライトコネクションに適合するか。
【０１２２】
選択的に、ＵＥと無線アクセスネットワークの間の（例えば、新しいＲＲＣ状態、例えば、非活性ＲＲＣ状態のような）接続が分離され、一時停止されるか非活性になった後に、新しい無線状態はＵＥがコアネットワークノードと接続された状態で維持される（ＲＲＣ状態のような）無線状態であっても良い。
【０１２３】
一部実施例で、ライトコネクションがサポートされるかは、ユーザ平面ＣＩＯＴ  ＥＰＳ最適化をサポートするか、ＲＲＣ接続一時停止をサポートするか、ＲＲＣ接続再開をサポートするか、及び新しい無線状態（上述したような新しい無線状態）をサポートするか、のうちの少くとも一つである。
【０１２４】
他の実施例で、ライトコネクションが許容されるかは、ユーザ平面ＣＩＯＴ  ＥＰＳ最適化を許容するか、ＲＲＣ接続一時停止を許容するか、ＲＲＣ接続再開を許容するか、及び新しい無線状態（上述したような新しい無線状態）を許容するか、のうちの少くとも一つである。
【０１２５】
段階４０２で、第１ノードはＵＥに対する決定されたライトコネクション情報を送信する。
選択的に、第１ノードはライトコネクション情報を第２ノード又はＵＥで送信する。第２ノードは第１無線アクセスネットワークノード又は第２コアネットワークノードであっても良い。
【０１２６】
一部実施例で、第１ノードは次のシナリオのうちの少なくとも一つでＵＥに対するライトコネクション情報を送信する。
【０１２７】
ＵＥは第１無線アクセスネットワークノードでハンドオーバーされる必要がある。例えば、第２アクセスネットワークノードはＵＥを第１無線アクセスネットワークノードでハンドオーバーするように決定する。
【０１２８】
ＵＥは第１無線アクセスネットワークノードにハンドオーバーされる必要がある。例えば、ＵＥコンテキストが第２アクセスネットワークノードに相変らず記憶されている間、ＵＥは第１無線アクセスネットワークノードにアクセスする。
【０１２９】
ＵＥに対するページングは第１無線アクセスネットワークノード下で開始される必要がある。
ＵＥに対するライトコネクションリクエストが受信される。一部実施例で、ＵＥに対するライトコネクションリクエストは第１無線アクセスノード又はＵＥによって送信される。選択的に、ＵＥに対するライトコネクションリクエストはＵＥに対する新しい無線状態として存在する。
【０１３０】
ＵＥがアクセスするノードがライトコネクションをサポートする。
ＵＥはライトコネクションをサポートする。
ＵＥはライトコネクションを許容する。
ＵＥはライトコネクションに適合する。
ＵＥベアラーはライトコネクションを許容する。
ＵＥベアラーはライトコネクションに適合する。
ＵＥサービスはライトコネクションを許容する。
ＵＥサービスはライトコネクションに適合する。
ＵＥセッションはライトコネクションを許容する。
ＵＥセッションはライトコネクションに適合する。
ＵＥサービスＱｏＳフローはライトコネクションを許容する。
ＵＥサービスＱｏＳフローはライトコネクションに適合する。
ＵＥサービスデータフローはライトコネクションを許容する。
ＵＥサービスデータフローはライトコネクションに適合する。
これにより、このような方法の方法フローは終了する。
【０１３１】
以下に示すＵＥに対するライトコネクション情報の特定内容はいずれも段階２０１でのＵＥに対するライトコネクション情報を指し、これは以下で説明しない。
【０１３２】
実施例１
図５は、本発明によるライトコネクション制御方法の実施例１の概路図である。ＵＥに対する接続が設定される時、無線アクセスネットワークノードはＵＥに対するライトコネクション情報を受信する。無線アクセスネットワークノードは必要によりＵＥに対する受信されたライトコネクション情報に基づいてＵＥに対するライトコネクション制御を行う。図５に示したように、方法は以下の段階を含む。
【０１３３】
段階５０１で、ＲＲＣ接続はＵＥと無線アクセスネットワークノードの間に設定される。接続はＲＲＣ接続セットアップ（ＲＲＣ  ｃｏｎｎｅｃｔｉｏｎ  ｓｅｔｕｐ）、ＲＲＣ接続再開（ＲＲＣ  ｃｏｎｎｅｃｔｉｏｎ  ｒｅｓｕｍｅ）、又はＲＲＣ接続再構成（ＲＲＣ  ｃｏｎｎｅｃｔｉｏｎ  ｒｅｅｓｔａｂｌｉｓｈｍｅｎｔ）の手続きによって具現される。
【０１３４】
段階５０２で、無線アクセスネットワークノードは初期ＵＥメッセージをコアネットワークノードに送信する。選択的に、メッセージは（段階４０２で説明したように）ＵＥに対するライトコネクションリクエストを含む。
【０１３５】
段階５０３で、コアネットワークノードは初期コンテキストセットアップリクエストメッセージ（ｉｎｉｔｉａｌ  ＵＥ  ｍｅｓｓａｇｅ）、ＵＥ接続セットアップインディケーションメッセージ（ＵＥ  ｃｏｎｎｅｃｔｉｏｎ  ｓｅｔｕｐ  ｉｎｄｉｃａｔｉｏｎ  ｍｅｓｓａｇｅ）、又はダウンリンクＮＡＳメッセージ（ｄｏｗｎｌｉｎｋ  ＮＡＳ  ｍｅｓｓａｇｅ）を無線アクセスネットワークノードに送信する。選択的に、メッセージは（段階２０１で説明したように）ＵＥに対するライトコネクション情報を含む。選択的に、コアネットワークノードは無線アクセスネットワークノードがライトコネクションをサポートするかによってＵＥに対するライトコネクション情報を送信するかを判断する。
【０１３６】
無線アクセスネットワークノードはＵＥに対する受信されたライトコネクション情報を記憶し、必要によりＵＥライトコネクション制御を行う。特定動作は段階２０２で説明したので、ここでは繰り返さない。
【０１３７】
段階５０４で、無線アクセスネットワークノードはＲＲＣ再構成リクエストメッセージ（ＲＲＣ  ｒｅｃｏｎｆｉｇｕｒａｔｉｏｎ  ｒｅｑｕｅｓｔ  ｍｅｓｓａｇｅ）をＵＥに送信する。ＲＲＣ再構成リクエストメッセージは（段階２０１で説明したように）ＵＥに対するライトコネクション情報を含む。ＵＥはＵＥに対する受信されたライトコネクション情報によってライトコネクションの接続解除又は接続一時停止を受諾するように決定し、特定動作は段階３０２で説明したので、ここでは繰り返さない。
【０１３８】
ＵＥはＲＲＣ再構成完了メッセージ（ＲＲＣ  ｒｅｃｏｎｆｉｇｕｒａｔｉｏｎ  ｃｏｍｐｌｅｔｉｏｎ  ｍｅｓｓａｇｅ）を無線アクセスネットワークノードに返信する。
【０１３９】
段階５０５で、無線アクセスネットワークノードは初期ＵＥコンテキストセットアップ応答をコアネットワークノードに返信する。
これにより、この実施例の方法フローは終了する。
【０１４０】
実施例２
図６は、本発明によるライトコネクション制御方法の実施例２の概路図である。ＵＥがコアネットワークに対する位置アップデート手続きを開始し、ＵＥが正常接続状態にある時、コアネットワークノードはＵＥに対するライトコネクション情報を無線ネットワークノードでアップデートする。無線アクセスネットワークノードは必要によりＵＥに対するアップデートされたライトコネクション情報に基づいてＵＥを制御する。図６に示したように、方法は以下の段階を含む。
【０１４１】
段階６０１で、ＵＥはハンドオーバーを行う。ハンドオーバー後のターゲットセルの位置領域はＵＥの移動性領域範囲を外れる（段階２０１で説明した）。
【０１４２】
段階６０２で、ＵＥはアップリンクＵＥ情報メッセージ（ｕｐｌｉｎｋ  ＵＥ  ｉｎｆｏｒｍａｔｉｏｎ  ｍｅｓｓａｇｅ）を無線アクセスネットワークノードに送信し、メッセージはＮＡＳメッセージＴＡＵアップデートリクエスト（ＮＡＳ  ｍｅｓｓａｇｅ  ＴＡＵ  ｕｐｄａｔｅ  ｒｅｑｕｅｓｔ）を搬送する。
【０１４３】
段階６０３で、無線アクセスネットワークノードは受信されたＮＡＳメッセージＴＡＵアップデートリクエストをアップリンク転送メッセージ（Ｕｐｌｉｎｋ  ＮＡＳ  Ｔｒａｎｓｐｏｒｔ  ｍｅｓｓａｇｅ）を介してコアネットワークノードにフォワーディングする。ＵＥに対するライトコネクション情報を受信した後、コアネットワークノードは２つの方式でＵＥに対するライトコネクション情報を無線アクセスネットワークにアップデートする。２つの方式はそれぞれ段階６０４、段階６０５及び段階６０６である。
【０１４４】
段階６０４で、コアネットワークノードはダウンリンクＮＡＳ転送メッセージ（Ｄｏｗｎｌｉｎｋ  ＮＡＳ  Ｔｒａｎｓｐｏｒｔ  ｍｅｓｓａｇｅ）を無線アクセスネットワークノードに送信する。選択的に、ダウンリンクＮＡＳ  転送メッセージはＵＥに対するライトコネクション情報を含む。無線アクセスネットワークノードは、ＵＥに対するコアネットワークによって設定された移動性領域範囲及び位置領域ＴＡのリストのように、ＵＥに対する受信されたライトコネクション情報によってＵＥに対する記憶されたライトコネクション情報をアップデートする。
【０１４５】
段階６０５で、無線アクセスネットワークノードはダウンリンクＵＥ情報メッセージ（Ｄｏｗｎｌｉｎｋ  ＵＥ  ｉｎｆｏｒｍａｔｉｏｎ  ｍｅｓｓａｇｅ）をＵＥに送信する。
【０１４６】
段階６０６で、コアネットワークノードはＵＥコンテキスト修正リクエストメッセージ（ＵＥ  Ｃｏｎｔｅｘｔ  Ｍｏｄｉｆｉｃａｔｉｏｎ  Ｒｅｑｕｅｓｔ  ｍｅｓｓａｇｅ）を無線アクセスネットワークノードに送信する。選択的に、メッセージはＵＥに対するライトコネクション情報を含む。無線アクセスネットワークノードは、ＵＥに対するコアネットワークによって設定された移動性領域範囲及び位置領域ＴＡのリストのように、ＵＥに対する受信されたライトコネクション情報によってＵＥに対する記憶されたライトコネクション情報をアップデートする。
これにより、この実施例の方法フローは終了する。
【０１４７】
一部実施例で、ＵＥに対する移動性領域範囲はＵＥに対するコアネットワークノードによって設定された位置領域のリスト（例えば、ＴＡ（Ｔｒａｃｋｉｎｇ  ａｒｅａ）アイデンティティーのリスト）である。無線アクセスネットワークノードはＵＥに対して設定された位置領域のリストをサポートしないセル又は他の無線アクセスネットワークノードに対するページングを開始しないこともあって、ＵＥに対して設定された位置領域のリストをサポートするセル又は他の無線アクセスネットワークノードに対するページングを開始する。無線アクセスノードがＵＥをページングすることを他のＵＥに通知すると、ＵＥに対して設定されたコアネットワークノードの位置領域のリストは他の無線アクセスノードに送信される。
【０１４８】
実施例３
図７は、本発明によるライトコネクション制御方法の実施例３の概路図である。ＵＥが無線アクセスネットワークノードの間のハンドオーバー（例えば、Ｘ２ハンドオーバー）を行う時、ターゲット無線アクセスネットワークノードはＵＥに対する光リンク情報を受信する。ターゲット無線アクセスネットワークノードはＵＥに対する受信されたライトコネクション情報によってＵＥを制御する。図７に示したように、方法は以下の段階を含む。
【０１４９】
段階７０１で、ソース無線アクセスネットワークノードはハンドオーバーリクエストメッセージ（ｈａｎｄｏｖｅｒ  ｒｅｑｕｅｓｔ  ｍｅｓｓａｇｅ）をターゲット無線アクセスネットワークノードに送信する。選択的に、ハンドオーバーリクエストメッセージはＵＥに対するライトコネクション情報を含む。ターゲット無線アクセスノードはＵＥに対する受信されたライトコネクション情報を記憶する。選択的に、ソース無線アクセスネットワークノードはターゲット無線アクセスネットワークノードがライトコネクションをサポートするかによってＵＥに対するライトコネクション情報を送信するかを判断する。
ＵＥに対するライトコネクション情報は段階２０１で説明した通りであるので、ここでは繰り返さない。
【０１５０】
段階７０２で、ターゲット無線アクセスネットワークノードはハンドオーバー応答（ｈａｎｄｏｖｅｒ  ｒｅｓｐｏｎｓｅ）をソース無線アクセスネットワークノードに返信する。
【０１５１】
段階７０３で、ソース無線アクセスネットワークノードはＲＲＣ再構成リクエスト（ＲＲＣ  ｒｅｃｏｎｆｉｇｕｒａｔｉｏｎ  ｒｅｑｕｅｓｔ）をＵＥに送信する。
【０１５２】
段階７０４で、ＵＥはＲＲＣ設定完了（ＲＲＣ  ｃｏｎｆｉｇｕｒａｔｉｏｎｃｏｍｐｌｅｔｉｏｎ）をターゲット無線アクセスネットワークノードに返信する。
【０１５３】
段階７０５で、ターゲット無線アクセスネットワークノードは経路転換リクエスト（ｐａｔｈ  ｓｗｉｔｃｈ  ｒｅｑｕｅｓｔ）をコアネットワークノードに送信する。
【０１５４】
段階７０６で、コアネットワークノードは経路転換確認応答メッセージ（ｐａｔｈ  ｓｗｉｔｃｈ  ａｃｋｎｏｗｌｅｄｇｅ  ｍｅｓｓａｇｅ）をターゲット無線アクセスネットワークノードに送信する。選択的に、送信された経路転換確認応答メッセージはＵＥに対するライトコネクション情報を含む。ターゲット無線アクセスネットワークノードはＵＥに対する受信されたライトコネクション情報を記憶する。ＵＥに対するライトコネクション情報が予め存在すると、ターゲット無線アクセスネットワークノードはＵＥに対する受信されたライトコネクション情報に基づいてライトコネクション情報をアップデートする。
【０１５５】
ハンドオーバーが完了した後、ターゲット無線アクセスネットワークノードはＵＥをサービングする無線アクセスネットワークノードとなる。無線アクセスネットワークノードはＵＥに対する記憶されたライトコネクション情報によってＵＥを制御する。特定動作は段階２０２で説明したので、ここでは繰り返さない。
これにより、この実施例の方法フローは終了する。
【０１５６】
実施例４
図８は、本発明によるライトコネクション制御方法の実施例４の概路図である。ＵＥが（Ｓ１ハンドオーバーのように）無線アクセスネットワークノードの間でコアネットワークによるハンドオーバーを行う時、ターゲット無線アクセスネットワークノードはＵＥに対する受信されたライトコネクション情報によってＵＥを制御する。図８に示したように、方法は以下の段階を含む。ＵＥに対するライトコネクション情報をターゲット無線アクセスノードに通知する２つの方式があり、これはそれぞれ段階８０１及び段階８０２である。
【０１５７】
段階８０１で、ソース無線アクセスネットワークノードはコアネットワークノードに要求されるハンドオーバー（ＨＡＮＤＯＶＥＲ  ｒｅｑｕｉｒｅｄ）を開始する。選択的に、メッセージはＵＥに対するライトコネクション情報を含む。コアネットワークノードはＵＥに対するライトコネクション情報をターゲット無線アクセスネットワークノードにフォワーディングする。選択的に、コアネットワークノードはさらにターゲット無線アクセスノードがライトコネクションをサポートすると共にＵＥに対するライトコネクション情報を決定したりＣＩＯＴベアラーをハンドオーバーするかを判断する。
ＵＥに対するライトコネクション情報は段階２０１で説明した通りであるので、ここでは繰り返さない。
【０１５８】
段階８０２において、コアネットワークノードはターゲット無線アクセスネットワークノードに対するハンドオーバーリクエストを開始する。選択的に、メッセージはＵＥに対するライトコネクション情報を含む。ＵＥに対する含まれたライトコネクション情報はソース無線アクセスネットワークノードからコアネットワークノードによって受信されるＵＥに対するライトコネクション情報であるか、コアネットワークノードによって直接生成されるＵＥに対するライトコネクション情報である。
ＵＥに対するライトコネクション情報は段階２０１で説明した通りであるので、ここでは繰り返さない。
【０１５９】
ターゲット無線アクセスネットワークノードはコアネットワークノードから受信されたＵＥに対するライトコネクション情報を記憶する。
【０１６０】
段階８０３で、ターゲット無線アクセスネットワークノードはハンドオーバー応答をコアネットワークノードに送信する。
【０１６１】
段階８０４で、コアネットワークノードはハンドオーバー応答をソース無線アクセスネットワークノードに送信する。
【０１６２】
段階８０５で、ソース無線アクセスネットワークノードはＲＲＣ再構成コマンドをＵＥに送信する。
【０１６３】
段階８０６で、ＵＥは再構成完了をターゲット無線アクセスネットワークノードに送信する。
【０１６４】
段階８０７で、ターゲット無線アクセスネットワークノードはハンドオーバーの完了を通知するためにハンドオーバー通知をコアネットワークノードに送信する。ハンドオーバーが完了した後、ターゲット無線アクセスネットワークノードはＵＥをサービングする無線アクセスネットワークノードとなり、無線アクセスネットワークノードはＵＥに対する受信されたライトコネクション情報によってＵＥ上でアクセス制御を行う。特定動作は段階２０２で説明した通りであるので、ここでは繰り返さない。
これにより、この実施例の方法フローは終了する。
【０１６５】
実施例５
図９は、本発明によるライトコネクション制御方法の実施例５の概路図である。ＵＥがソース無線アクセスネットワークから分離した後、ＵＥはライトコネクション状態に入る。ＵＥはターゲット無線アクセスネットワークに移動する間の接続セットアップを開始するように決定する。ＵＥが接続セットアップを開始する理由は、ＵＥが事前設定された移動性領域範囲／無線アクセスネットワークによって設定された移動性領域範囲を外れ、データ送信要求事項又は応答ページングを有するからである。図９に示したように、方法は以下の段階を含む。
【０１６６】
段階９０１で、ソース無線アクセスネットワークノードはＵＥから分離する。ＲＲＣ接続が解除されるかＲＲＣ接続が一時停止される時、ソース無線アクセスネットワークノードはＵＥに対して設定された移動性領域範囲をＵＥに送信する。無線アクセスネットワークノードによって設定されたＵＥに対する移動性領域範囲情報は段階２０１で説明した通りである。
【０１６７】
段階９０２で、ＲＲＣ接続はＵＥとターゲット無線アクセスネットワークノードの間にセットアップされる。ＲＲＣ接続はＲＲＣ接続セットアップ、ＲＲＣ接続再開又はＲＲＣ接続再構成手続きを介して具現される。ターゲット無線アクセスネットワークノードはＵＥのソース無線アクセスネットワークノードを識別する。
【０１６８】
段階９０３で、ターゲット無線アクセスネットワークノードはソース無線アクセスネットワークノードに対するＵＥコンテキスト回収リクエストを開始する。選択的に、メッセージはダウンリンクデータフォワーディングアドレスのようなデータフォワーディングアドレスを含む。
【０１６９】
段階９０４で、ソース無線アクセスネットワークノードはＵＥを認証し、ＵＥコンテキスト回収応答をターゲット無線アクセスネットワークノードに送信する。選択的に、ＵＥコンテキスト回収応答メッセージはＵＥに対するライトコネクション情報を含む。
【０１７０】
段階９０５で、ＲＲＣ接続はＵＥとターゲット無線アクセスネットワークノードの間でセットアップされる。ＲＲＣ接続は、ＲＲＣ接続セットアップ、ＲＲＣ接続再開又はＲＲＣ接続再構成手続きを介して具現される。
【０１７１】
ターゲット無線アクセスネットワークノードは必要によりＵＥのＲＲＣ接続再構成を行う。選択的に、ＲＲＣ接続再構成リクエストはＵＥに対するライトコネクション情報を含む。
【０１７２】
段階９０６で、ターゲット無線アクセスネットワークノードは経路転換リクエストをコアネットワークノードに送信する。
【０１７３】
段階９０７で、コアネットワークノードは経路転換確認応答をターゲット無線アクセスネットワークノードに送信する。これにより、この実施例の方法フローは終了する。
【０１７４】
実施例６
図１０は、本発明によるライトコネクション制御方法の実施例６の概路図である。ＵＥがソース無線アクセスネットワークから分離された後、ライトコネクション状態に入る。ソース無線アクセスネットワークノードがＵＥをページングする必要がある時、ソース無線アクセスネットワークノードはページング制御のためにＵＥに対するページングをターゲット無線アクセスネットワークに送信する。図１０に示したように、本方法は以下の段階を含む。
【０１７５】
段階１００１で、ソース無線アクセスネットワークノードはＵＥに対するページングをＵＥ又はターゲット無線アクセスネットワークノードに送信する。選択的に、ページングメッセージはＵＥに対するライトコネクション情報を含む。
【０１７６】
段階１００２で、ターゲット無線アクセスネットワークノードはＵＥに対する受信されたライトコネクション情報によってＵＥに対するページング制御を行い、このようなページング制御は段階２０２で説明した通りであるので、ここでは繰り返さない。
【０１７７】
ＵＥがターゲット無線アクセスネットワークノードでページングを受信すれば、ＵＥはページング応答を行うために接続セットアップを開始する。段階（１００３乃至１００８）は段階（９０２乃至９０７）で説明した通りであり、ここでは繰り返さない。
これにより、この実施例の方法フローは終了する。
【０１７８】
実施例７
図１１は、本発明によるライトコネクション制御方法の実施例７の概路図である。ソース無線アクセスネットワークから分離された後、ＵＥはライトコネクション状態に入る。ＵＥはソース無線アクセスネットワークノードによって設定された移動性領域範囲を外れた後に位置アップデート手続きを開始する。図１１に示したように、方法は以下の段階を含む。
【０１７９】
段階１１０１は段階９０１で説明した通りであり、ここでは繰り返さない。
【０１８０】
段階１１０２で、ＵＥは移動性領域範囲を外れ、ＲＲＣ接続セットアップ又はＲＲＣ接続再開を開始する。選択的に、ＵＥ位置アップデートはメッセージに示される。
【０１８１】
段階１１０３で、ターゲット無線アクセスネットワークノードはＵＥに対する位置アップデートリクエスト（ｌｏｃａｔｉｏｎ  ｕｐｄａｔｅ  ｒｅｑｕｅｓｔ）をソース無線アクセスネットワークノードに送信する。
【０１８２】
段階１１０４で、ソース無線アクセスネットワークノードはＵＥに対する位置アップデート応答をターゲット無線アクセスネットワークノードに送信する。選択的に、位置アップデート応答メッセージはＵＥに対するライトコネクション情報を含む。
【０１８３】
段階１１０５で、ターゲット無線アクセスネットワークノードは位置アップデート応答メッセージをＵＥに送信する。選択的に、位置アップデート応答メッセージはＵＥに対するライトコネクション情報を含む。
【０１８４】
図１２は、本発明による好ましい無線アクセスネットワーク装置の概略的なアーキテクチャーダイヤグラムである。図１２に示したように、無線アクセスネットワーク装置は受信モジュール、制御モジュール及び送信モジュールを含み、ここで、受信モジュールはＵＥに対するライトコネクション情報を獲得するように構成され、制御モジュールはＵＥに対するライトコネクション情報に基づいてＵＥに対するライトコネクション制御を行うように構成され、送信モジュールはＵＥに対するライトコネクション情報を他のデバイスに送信するように構成される。
【０１８５】
図１３は本発明による好ましい無線アクセスネットワーク装置の概略的なアーキテクチャーダイヤグラムであり、無線アクセスネットワーク装置の記憶モジュールはＵＥに対するライトコネクション情報を記憶するように構成される。
【０１８６】
図１４は、本発明による好ましいユーザ装置の概略的なアーキテクチャーダイヤグラムである。図１４に示したように、ユーザ装置は受信モジュール、制御モジュール及び送信モジュールを含み、ここで、
受信モジュールはＵＥに対するライトコネクション情報を獲得するように構成され、制御モジュールはＵＥに対するライトコネクション情報に基づいてＵＥに対するライトコネクション制御を行うように構成され、送信モジュールはＵＥに対するライトコネクション情報を他のデバイスに送信するように構成される。
【０１８７】
図１５は、本発明による好ましいネットワーク装置の概略的なアーキテクチャーダイヤグラムである。図１５に示したように、ネットワーク装置は制御モジュール及び送信モジュールを含み、ここで、
制御モジュールはＵＥに対するライトコネクション情報を決定するように構成され、送信モジュールはＵＥに対するライトコネクション情報を他のデバイスに送信するように構成される。
【０１８８】
上述した技術的方式から、ＵＥに対するライトコネクション情報を識別することによって、無線アクセスネットワークノードはＵＥにさらに近いＵＥによって制御される主要ノードと呼ばれ、ＵＥを制御するためにより柔軟であれば良く、ＵＥページング及び移動性制御を最適化する。ＵＥ接続解除及びＵＥ接続セットアップのシグナリングを記憶し、ＵＥに対するネットワークへのアクセス遅延を減少させることが可能である。
【０１８９】
上述した説明は、ただ本出願の好ましい実施例を説明するだけで、本出願を制限しようとするものはない。本出願の精神及び原理内のすべての修正、同等な代替又は改善は本出願の保護範囲に属さなければならない。
【符号の説明】
【０１９０】
１０１  ユーザ装置（ＵＥ）
１０２  Ｅ−ＵＴＲＡＮ
１０３  ＭＭＥ
１０４  ＳＧＷ
１０５  ＰＧＷ
１０６  ＰＣＲＦ
１０８  サービングＧＰＲＳサポートノード
１０９  ＨＳＳ  
【図１】
2019515604.tif 000003
【図２】
2019515604.tif 000004
【図３】
2019515604.tif 000005
【図４】
2019515604.tif 000006
【図５】
2019515604.tif 000007
【図６】
2019515604.tif 000008
【図７】
2019515604.tif 000009
【図８】
2019515604.tif 000010
【図９】
2019515604.tif 000011
【図１０】
2019515604.tif 000012
【図１１】
2019515604.tif 000013
【図１２】
2019515604.tif 000014
【図１３】
2019515604.tif 000015
【図１４】
2019515604.tif 000016
【図１５】
2019515604.tif 000017
【図１６】
2019515604.tif 000018
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
無線通信システムの端末の方法において、
第１基地局から、前記端末が非活性状態に入ることを指示する情報と、端末コンテキスト（ＵＥ  ｃｏｎｔｅｘｔ）に関連する第１識別子を含む制御メッセージを受信する段階と、
前記制御メッセージに基づいて前記非活性状態に入る段階と、
第２基地局から、端末コンテキストに関連する第２識別子を含むページングメッセージを受信する段階と、
前記第１識別子と前記第２識別子に基づいて接続再開（ｃｏｎｎｅｃｔｉｏｎ  ｒｅｓｕｍｅ）過程を開始する段階と、を含む、ことを特徴とする無線通信システムの端末の方法。
【請求項２】
前記制御メッセージは、ページング領域情報とページングサイクル（ｃｙｃｌｅ）情報を含む、ことを特徴とする請求項１に記載の無線通信システムの端末の方法。
【請求項３】
前記ページング領域情報はトラッキング領域識別子（ｔｒａｃｋｉｎｇ  ａｒｅａ  ｉｄｅｎｔｉｔｙ）又はセル識別子（ｃｅｌｌ  ｉｄｅｎｔｉｔｙ）のうちの少なくとも一つを含む、ことを特徴とする請求項２に記載の無線通信システムの端末の方法。
【請求項４】
前記端末が前記ページング領域情報に基づいてページング領域を外れた場合、前記第２基地局に前記ページング領域の変更を通知する再開メッセージ（ｒｅｓｕｍｅ  ｍｅｓｓａｇｅ）を送信する段階をさらに含む、ことを特徴とする請求項２に記載の無線通信システムの端末の方法。
【請求項５】
前記第１基地局に、前記端末が前記非活性状態をサポートすることを指示する能力（ｃａｐａｂｉｌｉｔｙ）情報を送信する段階をさらに含む、ことを特徴とする請求項１に記載の無線通信システムの端末の方法。
【請求項６】
無線通信システムの基地局の方法において、
コアネットワークから非活性状態補助情報（ｉｎａｃｔｉｖｅ  ｓｔａｔｅ  ａｓｓｉｓｔａｎｃｅ  ｉｎｆｏｒｍａｔｉｏｎ）を受信する段階と、
端末に、前記端末が非活性状態に入ることを指示する情報と、端末コンテキスト（ＵＥ  ｃｏｎｔｅｘｔ）に関連する識別子を含む制御メッセージを送信する段階と、 他の基地局に、前記端末コンテキストに関連する前記識別子と前記非活性状態補助情報を含むページングメッセージを送信する段階と、を含む、ことを特徴とする無線通信システムの基地局の方法。
【請求項７】
前記制御メッセージは、ページング領域情報とページングサイクル（ｃｙｃｌｅ）情報を含む、ことを特徴とする請求項６に記載の無線通信システムの基地局の方法。
【請求項８】
前記ページング領域情報はトラッキング領域識別子（ｔｒａｃｋｉｎｇ  ａｒｅａ  ｉｄｅｎｔｉｔｙ）又はセル識別子（ｃｅｌｌ  ｉｄｅｎｔｉｔｙ）のうちの少なくとも一つを含む、ことを特徴とする請求項７に記載の無線通信システムの基地局の方法。
【請求項９】
前記非活性状態補助情報は、移動性領域情報（ｍｏｂｉｌｉｔｙ  ａｒｅａ  ｉｎｆｏｒｍａｔｉｏｎ）又はＤＲＸ（ｄｉｓｃｏｎｔｉｎｕｏｕｓ  ｒｅｃｅｐｔｉｏｎ）情報のうちの少なくとも一つを含む、ことを特徴とする請求項６に記載の無線通信システムの基地局の方法。
【請求項１０】
前記ページングメッセージは、ページング優先順位情報（ｐａｇｉｎｇ  ｐｒｉｏｒｉｔｙ  ｉｎｆｏｒｍａｔｉｏｎ）をさらに含む、ことを特徴とする請求項６に記載の無線通信システムの基地局の方法。
【請求項１１】
前記端末から、前記端末が前記非活性状態をサポートすることを指示する能力（ｃａｐａｂｉｌｉｔｙ）情報を受信する段階をさらに含む、ことを特徴とする請求項６に記載の無線通信システムの基地局の方法。
【請求項１２】
無線通信システムの端末において、
送受信部と、
第１基地局から、前記端末が非活性状態に入ることを指示する情報と、端末コンテキスト（ＵＥ  ｃｏｎｔｅｘｔ）に関連する第１識別子を含む制御メッセージを受信し、
前記制御メッセージに基づいて前記非活性状態に入り、
第２基地局から、端末コンテキストに関連する第２識別子を含むページングメッセージを受信し、
前記第１識別子と前記第２識別子に基づいて接続再開（ｃｏｎｎｅｃｔｉｏｎ  ｒｅｓｕｍｅ）過程を開始するように制御する前記送受信部と接続された制御部と、を含む、ことを特徴とする端末。
【請求項１３】
前記制御メッセージは、ページング領域情報とページングサイクル（ｃｙｃｌｅ）情報を含む、ことを特徴とする請求項１２に記載の端末。
【請求項１４】
前記ページング領域情報はトラッキング領域識別子（ｔｒａｃｋｉｎｇ  ａｒｅａ  ｉｄｅｎｔｉｔｙ）又はセル識別子（ｃｅｌｌ  ｉｄｅｎｔｉｔｙ）のうちの少なくとも一つのリストを含む、ことを特徴とする請求項１３に記載の端末。
【請求項１５】
前記制御部は、前記端末が前記ページング領域情報に基づいてページング領域を外れた場合、前記第２基地局に前記ページング領域の変更を通知する再開メッセージ（ｒｅｓｕｍｅ  ｍｅｓｓａｇｅ）を送信するようにさらに制御する、ことを特徴とする請求項１３に記載の端末。
【請求項１６】
前記制御部は、前記第１基地局に、前記端末が前記非活性状態をサポートすることを指示する能力（ｃａｐａｂｉｌｉｔｙ）情報を送信するようにさらに制御する、ことを特徴とする請求項１２に記載の端末。
【請求項１７】
無線通信システムの基地局において、
送受信部と、
コアネットワークから非活性状態補助情報（ｉｎａｃｔｉｖｅ  ｓｔａｔｅ  ａｓｓｉｓｔａｎｃｅ  ｉｎｆｏｒｍａｔｉｏｎ）を受信し、端末に、前記端末が非活性状態に入ることを指示する情報と、端末コンテキスト（ＵＥ  ｃｏｎｔｅｘｔ）に関連する識別子を含む制御メッセージを送信し、他の基地局に、前記端末コンテキストに関連する前記識別子と前記非活性状態補助情報を含むページングメッセージを送信するように制御する前記送受信部と接続された制御部と、
を含む、ことを特徴とする基地局。
【請求項１８】
前記制御メッセージは、ページング領域情報とページングサイクル（ｃｙｃｌｅ）情報を含む、ことを特徴とする請求項１７に記載の基地局。
【請求項１９】
前記ページング領域情報は、トラッキング領域識別子（ｔｒａｃｋｉｎｇ  ａｒｅａ  ｉｄｅｎｔｉｔｙ）又はセル識別子（ｃｅｌｌ  ｉｄｅｎｔｉｔｙ）のうちの少なくとも一つを含む、ことを特徴とする請求項１８に記載の基地局。
【請求項２０】
前記非活性状態補助情報は、移動性領域情報（ｍｏｂｉｌｉｔｙ  ａｒｅａ  ｉｎｆｏｒｍａｔｉｏｎ）又はＤＲＸ（ｄｉｓｃｏｎｔｉｎｕｏｕｓ  ｒｅｃｅｐｔｉｏｎ）情報のうちの少なくとも一つを含む、ことを特徴とする請求項１７に記載の基地局。
【請求項２１】
前記ページングメッセージは、ページング優先順位情報（ｐａｇｉｎｇ  ｐｒｉｏｒｉｔｙ  ｉｎｆｏｒｍａｔｉｏｎ）をさらに含む、ことを特徴とする請求項１７に記載の基地局。
【請求項２２】
前記制御部は、
前記端末から、前記端末が前記非活性状態をサポートすることを指示する能力（ｃａｐａｂｉｌｉｔｙ）情報を受信するようにさらに制御する、ことを特徴とする請求項１７に記載の基地局。
【国際調査報告】
2019515604.tif 000019
2019515604.tif 000020
2019515604.tif 000021